(57)【要約】【課題】軽量フォーカスでサイズが小さく、結像性能に優れたズームレンズ系を提供する。【解決手段】正パワーの第１レンズ群と負パワーの第２レンズ群と後続レンズ群とからなり、第１レンズ群は３枚又は４枚のレンズ素子で構成され、開口絞りと像ぶれ補正レンズ群とフォーカシングレンズ群とを備え、後続レンズ群は開口絞り、像ぶれ補正レンズ群及びフォーカシングレンズ群を有し、像ぶれ補正レンズ群及びフォーカシングレンズ群は開口絞りよりも像側に配置され、条件：１．８＜｜（ＹＷ／ｆＷ）×ＦＮＯＴ×（ｆＴ／ｆＷ）｜＜４．５及び０．００１＜（Ｄ１Ｗ＋Ｄ２Ｔ）／ｆＷ＜０．２００（ＹＷ＝ｆＷ×ｔａｎ（ωＷ）、ｆＷ：広角端での焦点距離、ｆＴ：望遠端での焦点距離、ωＷ：広角端での半画角、ＦＮＯＴ：望遠端でのＦナンバー、Ｄ１Ｗ：広角端での第１、第２レンズ群の面頂間隔、Ｄ２Ｔ：望遠端での第２、第３レンズ群の面頂間隔）を満足するズームレンズ系。【選択図】図１
2014186306.tif 000002
【特許請求の範囲】
【請求項１】
物体側から像側へと順に、
正のパワーを有する第１レンズ群と、
負のパワーを有する第２レンズ群と、
後続レンズ群と
からなり、
前記第１レンズ群は、３枚又は４枚のレンズ素子で構成されており、
開口絞りと、
像のぶれを光学的に補正するために光軸に対して垂直方向に移動する、１枚以上のレンズ素子で構成された像ぶれ補正レンズ群と、
無限遠合焦状態から近接物体合焦状態へのフォーカシングの際に光軸に沿って移動する、１枚以上のレンズ素子で構成されたフォーカシングレンズ群と
を備えており、
前記後続レンズ群は、前記開口絞り、前記像ぶれ補正レンズ群及び前記フォーカシングレンズ群を有し、
前記像ぶれ補正レンズ群及びフォーカシングレンズ群は、開口絞りよりも像側に配置されており、
以下の条件（１）及び（２）を満足する、ズームレンズ系：
１．８＜｜（ＹＷ／ｆＷ）×ＦＮＯＴ×（ｆＴ／ｆＷ）｜＜４．５  ・・・（１）
０．００１＜（Ｄ１Ｗ＋Ｄ２Ｔ）／ｆＷ＜０．２００  ・・・（２）
ここで、
ＹＷ：次式で表される、広角端における対角像高
ＹＷ＝ｆＷ×ｔａｎ（ωＷ）、
ｆＷ：広角端における全系の焦点距離、
ｆＴ：望遠端における全系の焦点距離、
ωＷ：広角端における半画角、
ＦＮＯＴ：望遠端におけるＦナンバー、
Ｄ１Ｗ：広角端における第１レンズ群と第２レンズ群との面頂間隔、
Ｄ２Ｔ：望遠端における第２レンズ群と第３レンズ群との面頂間隔
である。
【請求項２】
像ぶれ補正レンズ群とフォーカシングレンズ群との間には、負のパワーを有するレンズ素子が配置されていない、請求項１に記載のズームレンズ系。
【請求項３】
最像側に配置されたレンズ群は、正のパワーを有する、請求項１に記載のズームレンズ系。
【請求項４】
最像側に配置されたレンズ群は、撮像時の広角端から望遠端へのズーミングの際に、像面に対して固定である、請求項１に記載のズームレンズ系。
【請求項５】
像ぶれ補正レンズ群及びフォーカシングレンズ群の少なくとも１つは、負のパワーを有する、請求項１に記載のズームレンズ系。
【請求項６】
後続レンズ群は、少なくとも３つのレンズ群を含む、請求項１に記載のズームレンズ系。
【請求項７】
像ぶれ補正レンズ群は、接合レンズ素子を有する、請求項１に記載のズームレンズ系。
【請求項８】
第１レンズ群は、撮像時の広角端から望遠端へのズーミングの際に、像面に対して固定である、請求項１に記載のズームレンズ系。
【請求項９】
後続レンズ群は、少なくとも２つのレンズ群を含み、
撮像時の広角端から望遠端へのズーミングの際に、前記後続レンズ群の少なくとも２つのレンズ群は、像面に対して固定である、請求項８に記載のズームレンズ系。
【請求項１０】
開口絞りは、撮像時の広角端から望遠端へのズーミングの際に、像面に対して固定である、請求項８に記載のズームレンズ系。
【請求項１１】
フォーカシングレンズ群の最物体側レンズ面は、物体側に凸面を向けた形状を有する、請求項８に記載のズームレンズ系。
【請求項１２】
物体側から像側へと順に、開口絞り、像ぶれ補正レンズ群及びフォーカシングレンズ群が配置されている、請求項８に記載のズームレンズ系。
【請求項１３】
請求項１に記載のズームレンズ系と、
前記ズームレンズ系が形成する光学像を受光して電気的な画像信号に変換する撮像素子を含むカメラ本体との接続が可能なレンズマウント部と
を備える、交換レンズ装置。
【請求項１４】
請求項１に記載のズームレンズ系を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える、カメラシステム。
【発明の詳細な説明】
【技術分野】
【０００１】
本開示は、ズームレンズ系、交換レンズ装置及びカメラシステムに関する。
【背景技術】
【０００２】
レンズ交換式デジタルカメラシステム（以下、単に「カメラシステム」ともいう）は、高感度で高画質な画像を撮影することができ、フォーカシングや撮影後の画像処理が高速で、撮りたい場面に合わせて手軽に交換レンズ装置を取り替えることができる等の利点があり、近年急速に普及している。また光学像を変倍可能に形成するズームレンズ系を備えた交換レンズ装置は、焦点距離を自在に変化させることができる点で人気がある。
【０００３】
特許文献１は、正負正負正の５群構成で、第１レンズ群から第３レンズ群において各レンズ群間の空気間隔を変化させて変倍を行い、フォーカシングの際に開口絞りよりも像側のレンズ群が光軸に沿って移動するズームレンズを開示している。
【０００４】
特許文献２は、正負負正正の５群構成で、第４レンズ群の全体又はその一部からなるレンズ群で像ぶれ補正を行う、バックフォーカスが長いズームレンズを開示している。
【０００５】
特許文献３は、正負正正正の５群構成で、変倍時に、第１レンズ群が第２レンズ群から離れるように物体側へ移動し、第３レンズ群が第２レンズ群に近づくように物体側へ移動し、第４レンズ群が第３レンズ群に近づくように物体側へ移動するズームレンズを開示している。
【０００６】
特許文献４は、正負正負の４群構成で、近接物体合焦状態では第１レンズ群を物体側へ移動させ、第３レンズ群を物体側へ移動させ、第４レンズ群を像側へ移動させるズームレンズを開示している。
【０００７】
特許文献５は、正負正負の４群構成で、第２レンズ群の最像側レンズ面から第３レンズ群の最像側レンズ面までの間に開口絞りを有するズームレンズを開示している。
【先行技術文献】
【特許文献】
【０００８】
【特許文献１】特開２０１１−２３２５４３号公報
【特許文献２】特開２０００−２１４３８６号公報
【特許文献３】特開２０１２−１９４２７９号公報
【特許文献４】特開平１０−２２１６００号公報
【特許文献５】特開２００９−１６３１０２号公報
【発明の概要】
【発明が解決しようとする課題】
【０００９】
本開示は、軽量フォーカスでサイズが小さく、結像性能に優れたズームレンズ系を提供する。また本開示は、該ズームレンズ系を含む交換レンズ装置及びカメラシステムを提供する。
【課題を解決するための手段】
【００１０】
本開示におけるズームレンズ系は、
物体側から像側へと順に、
正のパワーを有する第１レンズ群と、
負のパワーを有する第２レンズ群と、
後続レンズ群と
からなり、
前記第１レンズ群は、３枚又は４枚のレンズ素子で構成されており、
開口絞りと、
像のぶれを光学的に補正するために光軸に対して垂直方向に移動する、１枚以上のレンズ素子で構成された像ぶれ補正レンズ群と、
無限遠合焦状態から近接物体合焦状態へのフォーカシングの際に光軸に沿って移動する、１枚以上のレンズ素子で構成されたフォーカシングレンズ群と
を備えており、
前記後続レンズ群は、前記開口絞り、前記像ぶれ補正レンズ群及び前記フォーカシングレンズ群を有し、
前記像ぶれ補正レンズ群及びフォーカシングレンズ群は、開口絞りよりも像側に配置されており、
以下の条件（１）及び（２）：
１．８＜｜（ＹＷ／ｆＷ）×ＦＮＯＴ×（ｆＴ／ｆＷ）｜＜４．５  ・・・（１）
０．００１＜（Ｄ１Ｗ＋Ｄ２Ｔ）／ｆＷ＜０．２００  ・・・（２）
（ここで、
ＹＷ：次式で表される、広角端における対角像高
ＹＷ＝ｆＷ×ｔａｎ（ωＷ）、
ｆＷ：広角端における全系の焦点距離、
ｆＴ：望遠端における全系の焦点距離、
ωＷ：広角端における半画角、
ＦＮＯＴ：望遠端におけるＦナンバー、
Ｄ１Ｗ：広角端における第１レンズ群と第２レンズ群との面頂間隔、
Ｄ２Ｔ：望遠端における第２レンズ群と第３レンズ群との面頂間隔
である）
を満足する
ことを特徴とする。
【００１１】
本開示における交換レンズ装置は、
物体側から像側へと順に、
正のパワーを有する第１レンズ群と、
負のパワーを有する第２レンズ群と、
後続レンズ群と
からなり、
前記第１レンズ群は、３枚又は４枚のレンズ素子で構成されており、
開口絞りと、
像のぶれを光学的に補正するために光軸に対して垂直方向に移動する、１枚以上のレンズ素子で構成された像ぶれ補正レンズ群と、
無限遠合焦状態から近接物体合焦状態へのフォーカシングの際に光軸に沿って移動する、１枚以上のレンズ素子で構成されたフォーカシングレンズ群と
を備えており、
前記後続レンズ群は、前記開口絞り、前記像ぶれ補正レンズ群及び前記フォーカシングレンズ群を有し、
前記像ぶれ補正レンズ群及びフォーカシングレンズ群は、開口絞りよりも像側に配置されており、
以下の条件（１）及び（２）：
１．８＜｜（ＹＷ／ｆＷ）×ＦＮＯＴ×（ｆＴ／ｆＷ）｜＜４．５  ・・・（１）
０．００１＜（Ｄ１Ｗ＋Ｄ２Ｔ）／ｆＷ＜０．２００  ・・・（２）
（ここで、
ＹＷ：次式で表される、広角端における対角像高
ＹＷ＝ｆＷ×ｔａｎ（ωＷ）、
ｆＷ：広角端における全系の焦点距離、
ｆＴ：望遠端における全系の焦点距離、
ωＷ：広角端における半画角、
ＦＮＯＴ：望遠端におけるＦナンバー、
Ｄ１Ｗ：広角端における第１レンズ群と第２レンズ群との面頂間隔、
Ｄ２Ｔ：望遠端における第２レンズ群と第３レンズ群との面頂間隔
である）
を満足するズームレンズ系と、
前記ズームレンズ系が形成する光学像を受光して電気的な画像信号に変換する撮像素子を含むカメラ本体との接続が可能なレンズマウント部と
を備える
ことを特徴とする。
【００１２】
本開示におけるカメラシステムは、
物体側から像側へと順に、
正のパワーを有する第１レンズ群と、
負のパワーを有する第２レンズ群と、
後続レンズ群と
からなり、
前記第１レンズ群は、３枚又は４枚のレンズ素子で構成されており、
開口絞りと、
像のぶれを光学的に補正するために光軸に対して垂直方向に移動する、１枚以上のレンズ素子で構成された像ぶれ補正レンズ群と、
無限遠合焦状態から近接物体合焦状態へのフォーカシングの際に光軸に沿って移動する、１枚以上のレンズ素子で構成されたフォーカシングレンズ群と
を備えており、
前記後続レンズ群は、前記開口絞り、前記像ぶれ補正レンズ群及び前記フォーカシングレンズ群を有し、
前記像ぶれ補正レンズ群及びフォーカシングレンズ群は、開口絞りよりも像側に配置されており、
以下の条件（１）及び（２）：
１．８＜｜（ＹＷ／ｆＷ）×ＦＮＯＴ×（ｆＴ／ｆＷ）｜＜４．５  ・・・（１）
０．００１＜（Ｄ１Ｗ＋Ｄ２Ｔ）／ｆＷ＜０．２００  ・・・（２）
（ここで、
ＹＷ：次式で表される、広角端における対角像高
ＹＷ＝ｆＷ×ｔａｎ（ωＷ）、
ｆＷ：広角端における全系の焦点距離、
ｆＴ：望遠端における全系の焦点距離、
ωＷ：広角端における半画角、
ＦＮＯＴ：望遠端におけるＦナンバー、
Ｄ１Ｗ：広角端における第１レンズ群と第２レンズ群との面頂間隔、
Ｄ２Ｔ：望遠端における第２レンズ群と第３レンズ群との面頂間隔
である）
を満足するズームレンズ系、を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える
ことを特徴とする。
【発明の効果】
【００１３】
本開示におけるズームレンズ系は、軽量フォーカスでサイズが小さく、結像性能に優れている。
【図面の簡単な説明】
【００１４】
【図１】実施の形態１（数値実施例１）に係るズームレンズ系の無限遠合焦状態を示すレンズ配置図
【図２】数値実施例１に係るズームレンズ系の無限遠合焦状態の縦収差図
【図３】数値実施例１に係るズームレンズ系の望遠端における、像ぶれ補正を行っていない基本状態及び像ぶれ補正状態での横収差図
【図４】実施の形態２（数値実施例２）に係るズームレンズ系の無限遠合焦状態を示すレンズ配置図
【図５】数値実施例２に係るズームレンズ系の無限遠合焦状態の縦収差図
【図６】数値実施例２に係るズームレンズ系の望遠端における、像ぶれ補正を行っていない基本状態及び像ぶれ補正状態での横収差図
【図７】実施の形態３（数値実施例３）に係るズームレンズ系の無限遠合焦状態を示すレンズ配置図
【図８】数値実施例３に係るズームレンズ系の無限遠合焦状態の縦収差図
【図９】数値実施例３に係るズームレンズ系の望遠端における、像ぶれ補正を行っていない基本状態及び像ぶれ補正状態での横収差図
【図１０】実施の形態４（数値実施例４）に係るズームレンズ系の無限遠合焦状態を示すレンズ配置図
【図１１】数値実施例４に係るズームレンズ系の無限遠合焦状態の縦収差図
【図１２】数値実施例４に係るズームレンズ系の望遠端における、像ぶれ補正を行っていない基本状態及び像ぶれ補正状態での横収差図
【図１３】実施の形態５（数値実施例５）に係るズームレンズ系の無限遠合焦状態を示すレンズ配置図
【図１４】数値実施例５に係るズームレンズ系の無限遠合焦状態の縦収差図
【図１５】数値実施例５に係るズームレンズ系の望遠端における、像ぶれ補正を行っていない基本状態及び像ぶれ補正状態での横収差図
【図１６】実施の形態６（数値実施例６）に係るズームレンズ系の無限遠合焦状態を示すレンズ配置図
【図１７】数値実施例６に係るズームレンズ系の無限遠合焦状態の縦収差図
【図１８】数値実施例６に係るズームレンズ系の望遠端における、像ぶれ補正を行っていない基本状態及び像ぶれ補正状態での横収差図
【図１９】実施の形態７（数値実施例７）に係るズームレンズ系の無限遠合焦状態を示すレンズ配置図
【図２０】数値実施例７に係るズームレンズ系の無限遠合焦状態の縦収差図
【図２１】数値実施例７に係るズームレンズ系の望遠端における、像ぶれ補正を行っていない基本状態及び像ぶれ補正状態での横収差図
【図２２】実施の形態８に係るレンズ交換式デジタルカメラシステムの概略構成図
【発明を実施するための形態】
【００１５】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１６】
なお、発明者らは、当業者が本開示を充分に理解するために添付図面および以下の説明を提供するのであって、これらによって請求の範囲に記載の主題を限定することを意図するものではない。
【００１７】
（実施の形態１〜７）
図１、４、７、１０、１３、１６及び１９は、各々実施の形態１〜７に係るズームレンズ系のレンズ配置図であり、いずれも無限遠合焦状態にあるズームレンズ系を表している。
【００１８】
各図において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。各図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。
【００１９】
各図において、レンズ群に付された矢印は、無限遠合焦状態から近接物体合焦状態へのフォーカシングを表す。すなわち、１枚以上のレンズ素子で構成されたフォーカシングレンズ群が無限遠合焦状態から近接物体合焦状態へのフォーカシングの際に移動する方向を示している。なお各図では、（ａ）図に各レンズ群の符号が記載されているため、便宜上、この各レンズ群の符号の下部にフォーカシングを表す矢印を付しているが、各ズーミング状態において、フォーカシングの際に各レンズ群が移動する方向は、実施の形態ごとに後に具体的に説明する。
【００２０】
実施の形態１、２、４、６及び７に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４と、正のパワーを有する第５レンズ群Ｇ５と、負のパワーを有する第６レンズ群Ｇ６と、正のパワーを有する第７レンズ群Ｇ７とを備える。実施の形態１、２、４、６及び７に係るズームレンズ系では、ズーミングに際して、各レンズ群の間隔がいずれも変化するように、各レンズ群が光軸に沿った方向にそれぞれ移動する。実施の形態１、２、４、６及び７に係るズームレンズ系は、これら各レンズ群を所望のパワー配置にすることにより、高い光学性能を保持しつつ、レンズ系全体の小型化を可能にしている。
【００２１】
実施の形態３に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４と、負のパワーを有する第５レンズ群Ｇ５と、負のパワーを有する第６レンズ群Ｇ６と、正のパワーを有する第７レンズ群Ｇ７とを備える。実施の形態３に係るズームレンズ系では、ズーミングに際して、各レンズ群の間隔がいずれも変化するように、各レンズ群が光軸に沿った方向にそれぞれ移動する。実施の形態３に係るズームレンズ系は、これら各レンズ群を所望のパワー配置にすることにより、高い光学性能を保持しつつ、レンズ系全体の小型化を可能にしている。
【００２２】
実施の形態５に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５と、負のパワーを有する第６レンズ群Ｇ６と、負のパワーを有する第７レンズ群Ｇ７と、正のパワーを有する第８レンズ群Ｇ８と、負のパワーを有する第９レンズ群Ｇ９とを備える。実施の形態５に係るズームレンズ系では、ズーミングに際して、各レンズ群の間隔がいずれも変化するように、各レンズ群が光軸に沿った方向にそれぞれ移動する。実施の形態５に係るズームレンズ系は、これら各レンズ群を所望のパワー配置にすることにより、高い光学性能を保持しつつ、レンズ系全体の小型化を可能にしている。
【００２３】
各図において、各レンズ群の符号に付された記号（＋）及び記号（−）は、各レンズ群のパワーの符号に対応する。また各図において、最も右側に記載された直線は、像面Ｓの位置を表す。
【００２４】
さらに図１、１０、１６及び１９に示すように、第３レンズ群Ｇ３内に開口絞りＡが設けられており、図４に示すように、第２レンズ群Ｇ２の最像側に開口絞りＡが設けられており、図７に示すように、第４レンズ群Ｇ４の最物体側に開口絞りＡが設けられており、図１３に示すように、第５レンズ群Ｇ５の最物体側に開口絞りＡが設けられている。
【００２５】
（実施の形態１）
第１レンズ群Ｇ１は、物体側から像側へと順に、両凸形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。第２レンズ素子Ｌ２と第３レンズ素子Ｌ３とが互いに接合されている。
【００２６】
第２レンズ群Ｇ２は、物体側から像側へと順に、物体側に凸面を向けた負メニスカス形状の第４レンズ素子Ｌ４と、物体側に凸面を向けた負メニスカス形状の第５レンズ素子Ｌ５と、物体側に凸面を向けた正メニスカス形状の第６レンズ素子Ｌ６と、両凹形状の第７レンズ素子Ｌ７とからなる。第５レンズ素子Ｌ５と第６レンズ素子Ｌ６とが互いに接合されており、後述する対応数値実施例における面データでは、これら第５レンズ素子Ｌ５と第６レンズ素子Ｌ６との間の接着剤層に面番号９が付与されている。
【００２７】
第３レンズ群Ｇ３は、物体側から像側へと順に、両凸形状の第８レンズ素子Ｌ８と、物体側に凸面を向けた負メニスカス形状の第９レンズ素子Ｌ９と、物体側に凸面を向けた正メニスカス形状の第１０レンズ素子Ｌ１０と、両凹形状の第１１レンズ素子Ｌ１１と、開口絞りＡと、両凹形状の第１２レンズ素子Ｌ１２と、両凸形状の第１３レンズ素子Ｌ１３とからなる。
【００２８】
第４レンズ群Ｇ４は、物体側から像側へと順に、物体側に緩い凸面を向けた負メニスカス形状の第１４レンズ素子Ｌ１４と、両凸形状の第１５レンズ素子Ｌ１５と、両凸形状の第１６レンズ素子Ｌ１６と、像側に凸面を向けた正メニスカス形状の第１７レンズ素子Ｌ１７と、両凹形状の第１８レンズ素子Ｌ１８とからなる。第１４レンズ素子Ｌ１４と第１５レンズ素子Ｌ１５とが互いに接合されており、後述する対応数値実施例における面データでは、これら第１４レンズ素子Ｌ１４と第１５レンズ素子Ｌ１５との間の接着剤層に面番号２８が付与されている。また、第１７レンズ素子Ｌ１７と第１８レンズ素子Ｌ１８とが互いに接合されている。
【００２９】
第５レンズ群Ｇ５は、両凸形状の第１９レンズ素子Ｌ１９のみからなる。
【００３０】
第６レンズ群Ｇ６は、物体側から像側へと順に、物体側に凸面を向けた負メニスカス形状の第２０レンズ素子Ｌ２０と、両凸形状の第２１レンズ素子Ｌ２１と、両凹形状の第２２レンズ素子Ｌ２２とからなる。
【００３１】
第７レンズ群Ｇ７は、物体側に凸面を向けた正メニスカス形状の第２３レンズ素子Ｌ２３のみからなる。
【００３２】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は狭くなり、第４レンズ群Ｇ４と第５レンズ群Ｇ５との間隔は広くなり、第５レンズ群Ｇ５と第６レンズ群Ｇ６との間隔は狭くなり、第６レンズ群Ｇ６と第７レンズ群Ｇ７との間隔は広くなるように、各レンズ群が光軸に沿って移動する。
【００３３】
撮像時の広角端から望遠端へのズーミングの際に、第１レンズ群Ｇ１は像面Ｓに対して固定で、第２レンズ群Ｇ２は像側へ移動し、第３レンズ群Ｇ３は像面Ｓに対して固定で、第４レンズ群Ｇ４は物体側へ移動し、第５レンズ群Ｇ５は物体側へ移動し、第６レンズ群Ｇ６は物体側へ移動し、第７レンズ群Ｇ７は像面Ｓに対して固定である。
【００３４】
無限遠合焦状態から近接物体合焦状態へのフォーカシングの際に、フォーカシングレンズ群である第５レンズ群Ｇ５は、いずれのズーミング状態でも光軸に沿って物体側へ移動する。
【００３５】
第４レンズ群Ｇ４の一部である第１７レンズ素子Ｌ１７と第１８レンズ素子Ｌ１８との接合レンズ素子は、像のぶれを光学的に補正するために光軸に対して垂直方向に移動する像ぶれ補正レンズ群に相当する。
【００３６】
（実施の形態２）
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。第１レンズ素子Ｌ１と第２レンズ素子Ｌ２とが互いに接合されている。
【００３７】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６と、開口絞りＡとからなる。第５レンズ素子Ｌ５と第６レンズ素子Ｌ６とが互いに接合されている。
【００３８】
第３レンズ群Ｇ３は、物体側から像側へと順に、物体側に凸面を向けた負メニスカス形状の第７レンズ素子Ｌ７と、両凸形状の第８レンズ素子Ｌ８と、両凸形状の第９レンズ素子Ｌ９と、両凹形状の第１０レンズ素子Ｌ１０と、両凹形状の第１１レンズ素子Ｌ１１と、両凸形状の第１２レンズ素子Ｌ１２と、両凸形状の第１３レンズ素子Ｌ１３とからなる。第７レンズ素子Ｌ７と第８レンズ素子Ｌ８とが互いに接合されており、後述する対応数値実施例における面データでは、これら第７レンズ素子Ｌ７と第８レンズ素子Ｌ８との間の接着剤層に面番号１３が付与されている。また、第９レンズ素子Ｌ９と第１０レンズ素子Ｌ１０とが互いに接合されており、後述する対応数値実施例における面データでは、これら第９レンズ素子Ｌ９と第１０レンズ素子Ｌ１０との間の接着剤層に面番号１７が付与されている。
【００３９】
第４レンズ群Ｇ４は、物体側から像側へと順に、物体側に緩い凹面を向けた両凹形状の第１４レンズ素子Ｌ１４と、両凸形状の第１５レンズ素子Ｌ１５と、両凸形状の第１６レンズ素子Ｌ１６と、像側に凸面を向けた正メニスカス形状の第１７レンズ素子Ｌ１７と、両凹形状のＬ１８とからなる。第１４レンズ素子Ｌ１４と第１５レンズ素子Ｌ１５とが互いに接合されており、後述する対応数値実施例における面データでは、これら第１４レンズ素子Ｌ１４と第１５レンズ素子Ｌ１５との間の接着剤層に面番号２７が付与されている。また、第１７レンズ素子Ｌ１７と第１８レンズ素子Ｌ１８とが互いに接合されている。
【００４０】
第５レンズ群Ｇ５は、物体側に凸面を向けた正メニスカス形状の第１９レンズ素子Ｌ１９のみからなる。
【００４１】
第６レンズ群Ｇ６は、物体側から像側へと順に、像側に凸面を向けた正メニスカス形状の第２０レンズ素子Ｌ２０と、両凹形状の第２１レンズ素子Ｌ２１とからなる。
【００４２】
第７レンズ群Ｇ７は、両凸形状の第２２レンズ素子Ｌ２２のみからなる。
【００４３】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は狭くなり、第４レンズ群Ｇ４と第５レンズ群Ｇ５との間隔は広くなり、第５レンズ群Ｇ５と第６レンズ群Ｇ６との間隔は狭くなり、第６レンズ群Ｇ６と第７レンズ群Ｇ７との間隔は広くなるように、各レンズ群が光軸に沿って移動する。
【００４４】
撮像時の広角端から望遠端へのズーミングの際に、第１レンズ群Ｇ１は物体側へ移動し、第２レンズ群Ｇ２は像側へ移動し、第３レンズ群Ｇ３は物体側へ移動し、第４レンズ群Ｇ４は物体側へ移動し、第５レンズ群Ｇ５は物体側へ移動し、第６レンズ群Ｇ６は物体側へ移動し、第７レンズ群Ｇ７は像面Ｓに対して固定である。
【００４５】
無限遠合焦状態から近接物体合焦状態へのフォーカシングの際に、フォーカシングレンズ群である第５レンズ群Ｇ５は、いずれのズーミング状態でも光軸に沿って物体側へ移動する。
【００４６】
第４レンズ群Ｇ４の一部である第１７レンズ素子Ｌ１７と第１８レンズ素子Ｌ１８との接合レンズ素子は、像のぶれを光学的に補正するために光軸に対して垂直方向に移動する像ぶれ補正レンズ群に相当する。
【００４７】
（実施の形態３）
第１レンズ群Ｇ１は、物体側から像側へと順に、両凸形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。第２レンズ素子Ｌ２と第３レンズ素子Ｌ３とが互いに接合されており、後述する対応数値実施例における面データでは、これら第２レンズ素子Ｌ２と第３レンズ素子Ｌ３との間の接着剤層に面番号４が付与されている。
【００４８】
第２レンズ群Ｇ２は、物体側から像側へと順に、両凹形状の第４レンズ素子Ｌ４と、物体側に凸面を向けた正メニスカス形状の第５レンズ素子Ｌ５とからなる。
【００４９】
第３レンズ群Ｇ３は、物体側から像側へと順に、両凸形状の第６レンズ素子Ｌ６と、両凹形状の第７レンズ素子Ｌ７と、両凸形状の第８レンズ素子Ｌ８とからなる。第６レンズ素子Ｌ６と第７レンズ素子Ｌ７とが互いに接合されており、後述する対応数値実施例における面データでは、これら第６レンズ素子Ｌ６と第７レンズ素子Ｌ７との間の接着剤層に面番号１２が付与されている。
【００５０】
第４レンズ群Ｇ４は、物体側から像側へと順に、開口絞りＡと、物体側に凸面を向けた負メニスカス形状の第９レンズ素子Ｌ９と、両凸形状の第１０レンズ素子Ｌ１０と、両凸形状の第１１レンズ素子Ｌ１１とからなる。第９レンズ素子Ｌ９と第１０レンズ素子Ｌ１０とが互いに接合されている。
【００５１】
第５レンズ群Ｇ５は、物体側から像側へと順に、物体側に凸面を向けた負メニスカス形状の第１２レンズ素子Ｌ１２と、像側に凸面を向けた正メニスカス形状の第１３レンズ素子Ｌ１３と、両凹形状の第１４レンズ素子Ｌ１４と、物体側に凸面を向けた正メニスカス形状の第１５レンズ素子Ｌ１５とからなる。第１３レンズ素子Ｌ１３と第１４レンズ素子Ｌ１４とが互いに接合されており、後述する対応数値実施例における面データでは、これら第１３レンズ素子Ｌ１３と第１４レンズ素子Ｌ１４との間の接着剤層に面番号２６が付与されている。
【００５２】
第６レンズ群Ｇ６は、物体側から像側へと順に、両凹形状の第１６レンズ素子Ｌ１６と、両凸形状の第１７レンズ素子Ｌ１７と、両凹形状の第１８レンズ素子Ｌ１８とからなる。第１６レンズ素子Ｌ１６と第１７レンズ素子Ｌ１７とが互いに接合されており、後述する対応数値実施例における面データでは、これら第１６レンズ素子Ｌ１６と第１７レンズ素子Ｌ１７との間の接着剤層に面番号３２が付与されている。
【００５３】
第７レンズ群Ｇ７は、像側に凸面を向けた正メニスカス形状の第１９レンズ素子Ｌ１９のみからなる。
【００５４】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は広くなり、第３レンズ群Ｇ３と第４レンズ群Ｇ４との間隔は狭くなり、第４レンズ群Ｇ４と第５レンズ群Ｇ５との間隔は狭くなり、第５レンズ群Ｇ５と第６レンズ群Ｇ６との間隔は狭くなり、第６レンズ群Ｇ６と第７レンズ群Ｇ７との間隔は広くなるように、各レンズ群が光軸に沿って移動する。
【００５５】
撮像時の広角端から望遠端へのズーミングの際に、第１レンズ群Ｇ１は物体側へ移動し、第２レンズ群Ｇ２は像面Ｓに対して固定であり、第３レンズ群Ｇ３は像側へ移動し、第４レンズ群Ｇ４は物体側へ移動し、第５レンズ群Ｇ５は物体側へ移動し、第６レンズ群Ｇ６は物体側へ移動し、第７レンズ群Ｇ７は像面Ｓに対して固定である。
【００５６】
無限遠合焦状態から近接物体合焦状態へのフォーカシングの際に、フォーカシングレンズ群である第６レンズ群Ｇ６は、いずれのズーミング状態でも光軸に沿って像側へ移動する。
【００５７】
第５レンズ群Ｇ５の一部である、第１２レンズ素子Ｌ１２、及び第１３レンズ素子Ｌ１３と第１４レンズ素子Ｌ１４との接合レンズ素子は、像のぶれを光学的に補正するために光軸に対して垂直方向に移動する像ぶれ補正レンズ群に相当する。
【００５８】
（実施の形態４）
第１レンズ群Ｇ１は、物体側から像側へと順に、両凸形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。第２レンズ素子Ｌ２と第３レンズ素子Ｌ３とが互いに接合されている。
【００５９】
第２レンズ群Ｇ２は、物体側から像側へと順に、物体側に凸面を向けた負メニスカス形状の第４レンズ素子Ｌ４と、物体側に凸面を向けた正メニスカス形状の第５レンズ素子Ｌ５と、両凹形状の第６レンズ素子Ｌ６とからなる。第４レンズ素子Ｌ４と第５レンズ素子Ｌ５とが互いに接合されており、後述する対応数値実施例における面データでは、これら第４レンズ素子Ｌ４と第５レンズ素子Ｌ５との間の接着剤層に面番号７が付与されている。
【００６０】
第３レンズ群Ｇ３は、物体側から像側へと順に、両凸形状の第７レンズ素子Ｌ７と、両凹形状の第８レンズ素子Ｌ８と、開口絞りＡと、像側に凸面を向けた負メニスカス形状の第９レンズ素子Ｌ９と、像側に凸面を向けた正メニスカス形状の第１０レンズ素子Ｌ１０とからなる。第９レンズ素子Ｌ９と第１０レンズ素子Ｌ１０とが互いに接合されており、後述する対応数値実施例における面データでは、これら第９レンズ素子Ｌ９と第１０レンズ素子Ｌ１０との間の接着剤層に面番号１８が付与されている。
【００６１】
第４レンズ群Ｇ４は、物体側から像側へと順に、物体側に凸面を向けた負メニスカス形状の第１１レンズ素子Ｌ１１と、両凸形状の第１２レンズ素子Ｌ１２と、両凸形状の第１３レンズ素子Ｌ１３と、像側に凸面を向けた正メニスカス形状の第１４レンズ素子Ｌ１４と、両凹形状の第１５レンズ素子Ｌ１５とからなる。第１１レンズ素子Ｌ１１と第１２レンズ素子Ｌ１２とが互いに接合されており、後述する対応数値実施例における面データでは、これら第１１レンズ素子Ｌ１１と第１２レンズ素子Ｌ１２との間の接着剤層に面番号２２が付与されている。また、第１４レンズ素子Ｌ１４と第１５レンズ素子Ｌ１５とが互いに接合されている。
【００６２】
第５レンズ群Ｇ５は、物体側に凸面を向けた正メニスカス形状の第１６レンズ素子Ｌ１６のみからなる。
【００６３】
第６レンズ群Ｇ６は、物体側から像側へと順に、物体側に凸面を向けた負メニスカス形状の第１７レンズ素子Ｌ１７と、像側に凸面を向けた正メニスカス形状の第１８レンズ素子Ｌ１８と、両凹形状の第１９レンズ素子Ｌ１９とからなる。第１８レンズ素子Ｌ１８と第１９レンズ素子Ｌ１９とが互いに接合されており、後述する対応数値実施例における面データでは、これら第１８レンズ素子Ｌ１８と第１９レンズ素子Ｌ１９との間の接着剤層に面番号３５が付与されている。
【００６４】
第７レンズ群Ｇ７は、両凸形状の第２０レンズ素子Ｌ２０のみからなる。
【００６５】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は狭くなり、第４レンズ群Ｇ４と第５レンズ群Ｇ５との間隔は広くなり、第５レンズ群Ｇ５と第６レンズ群Ｇ６との間隔は狭くなり、第６レンズ群Ｇ６と第７レンズ群Ｇ７との間隔は広くなるように、各レンズ群が光軸に沿って移動する。
【００６６】
撮像時の広角端から望遠端へのズーミングの際に、第１レンズ群Ｇ１は像面Ｓに対して固定で、第２レンズ群Ｇ２は像側へ移動し、第３レンズ群Ｇ３は像面Ｓに対して固定で、第４レンズ群Ｇ４は物体側へ移動し、第５レンズ群Ｇ５は物体側へ移動し、第６レンズ群Ｇ６は物体側へ移動し、第７レンズ群Ｇ７は像面Ｓに対して固定である。
【００６７】
無限遠合焦状態から近接物体合焦状態へのフォーカシングの際に、フォーカシングレンズ群である第５レンズ群Ｇ５は、いずれのズーミング状態でも光軸に沿って物体側へ移動する。
【００６８】
第４レンズ群Ｇ４の一部である第１４レンズ素子Ｌ１４と第１５レンズ素子Ｌ１５との接合レンズ素子は、像のぶれを光学的に補正するために光軸に対して垂直方向に移動する像ぶれ補正レンズ群に相当する。
【００６９】
（実施の形態５）
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。第１レンズ素子Ｌ１と第２レンズ素子Ｌ２とが互いに接合されており、後述する対応数値実施例における面データでは、これら第１レンズ素子Ｌ１と第２レンズ素子Ｌ２との間の接着剤層に面番号２が付与されている。
【００７０】
第２レンズ群Ｇ２は、物体側から像側へと順に、両凸形状の第４レンズ素子Ｌ４と、両凹形状の第５レンズ素子Ｌ５と、両凹形状の第６レンズ素子Ｌ６と、物体側に凸面を向けた正メニスカス形状の第７レンズ素子Ｌ７と、像側に凸面を向けた負メニスカス形状の第８レンズ素子Ｌ８とからなる。第４レンズ素子Ｌ４と第５レンズ素子Ｌ５とが互いに接合されており、後述する対応数値実施例における面データでは、これら第４レンズ素子Ｌ４と第５レンズ素子Ｌ５との間の接着剤層に面番号８が付与されている。また、第６レンズ素子Ｌ６と第７レンズ素子Ｌ７とが互いに接合されており、後述する対応数値実施例における面データでは、これら第６レンズ素子Ｌ６と第７レンズ素子Ｌ７との間の接着剤層に面番号１２が付与されている。
【００７１】
第３レンズ群Ｇ３は、両凸形状の第９レンズ素子Ｌ９のみからなる。
【００７２】
第４レンズ群Ｇ４は、像側に凸面を向けた負メニスカス形状の第１０レンズ素子Ｌ１０のみからなる。
【００７３】
第５レンズ群Ｇ５は、物体側から像側へと順に、開口絞りＡと、両凸形状の第１１レンズ素子Ｌ１１と、両凸形状の第１２レンズ素子Ｌ１２と、両凹形状の第１３レンズ素子Ｌ１３とからなる。第１２レンズ素子Ｌ１２と第１３レンズ素子Ｌ１３とが互いに接合されており、後述する対応数値実施例における面データでは、これら第１２レンズ素子Ｌ１２と第１３レンズ素子Ｌ１３との間の接着剤層に面番号２５が付与されている。
【００７４】
第６レンズ群Ｇ６は、物体側に凸面を向けた負メニスカス形状の第１４レンズ素子Ｌ１４のみからなる。
【００７５】
第７レンズ群Ｇ７は、物体側から像側へと順に、像側に凸面を向けた正メニスカス形状の第１５レンズ素子Ｌ１５と、両凹形状の第１６レンズ素子Ｌ１６と、両凹形状の第１７レンズ素子Ｌ１７と、像側に凸面を向けた正メニスカス形状の第１８レンズ素子Ｌ１８とからなる。第１５レンズ素子Ｌ１５と第１６レンズ素子Ｌ１６とが互いに接合されており、後述する対応数値実施例における面データでは、これら第１５レンズ素子Ｌ１５と第１６レンズ素子Ｌ１６との間の接着剤層に面番号３１が付与されている。
【００７６】
第８レンズ群Ｇ８は、両凸形状の第１９レンズ素子Ｌ１９のみからなる。
【００７７】
第９レンズ群Ｇ９は、物体側から像側へと順に、両凹形状の第２０レンズ素子Ｌ２０と、両凸形状の第２１レンズ素子Ｌ２１とからなる。
【００７８】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は広くなり、第４レンズ群Ｇ４と第５レンズ群Ｇ５との間隔は広くなり、第５レンズ群Ｇ５と第６レンズ群Ｇ６との間隔は狭くなり、第６レンズ群Ｇ６と第７レンズ群Ｇ７との間隔は広くなり、第７レンズ群Ｇ７と第８レンズ群Ｇ８との間隔は広くなり、第８レンズ群Ｇ８と第９レンズ群Ｇ９との間隔は狭くなるように、各レンズ群が光軸に沿って移動する。
【００７９】
撮像時の広角端から望遠端へのズーミングの際に、第１レンズ群Ｇ１は像面Ｓに対して固定で、第２レンズ群Ｇ２は像側へ移動し、第３レンズ群Ｇ３は物体側へ移動し、第４レンズ群Ｇ４は物体側へ移動し、第５レンズ群Ｇ５は像面Ｓに対して固定で、第６レンズ群Ｇ６は物体側へ移動し、第７レンズ群Ｇ７は像面Ｓに対して固定で、第８レンズ群Ｇ８は像側へ移動し、第９レンズ群Ｇ９は像面Ｓに対して固定である。
【００８０】
無限遠合焦状態から近接物体合焦状態へのフォーカシングの際に、フォーカシングレンズ群である第６レンズ群Ｇ６は、いずれのズーミング状態でも光軸に沿って像側へ移動するとともに、もう１つのフォーカシングレンズ群である第８レンズ群Ｇ８は、いずれのズーミング状態でも光軸に沿って物体側へ移動する。
【００８１】
第７レンズ群Ｇ７の一部である、第１５レンズ素子Ｌ１５と第１６レンズ素子Ｌ１６との接合レンズ素子、及び第１７レンズ素子Ｌ１７は、像のぶれを光学的に補正するために光軸に対して垂直方向に移動する像ぶれ補正レンズ群に相当する。
【００８２】
（実施の形態６）
第１レンズ群Ｇ１は、物体側から像側へと順に、両凸形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。第２レンズ素子Ｌ２と第３レンズ素子Ｌ３とが互いに接合されており、後述する対応数値実施例における面データでは、これら第２レンズ素子Ｌ２と第３レンズ素子Ｌ３との間の接着剤層に面番号４が付与されている。
【００８３】
第２レンズ群Ｇ２は、物体側から像側へと順に、物体側に凸面を向けた負メニスカス形状の第４レンズ素子Ｌ４と、物体側に凸面を向けた負メニスカス形状の第５レンズ素子Ｌ５と、物体側に凸面を向けた正メニスカス形状の第６レンズ素子Ｌ６と、像側に凸面を向けた負メニスカス形状の第７レンズ素子Ｌ７とからなる。第５レンズ素子Ｌ５と第６レンズ素子Ｌ６とが互いに接合されており、後述する対応数値実施例における面データでは、これら第５レンズ素子Ｌ５と第６レンズ素子Ｌ６との間の接着剤層に面番号１０が付与されている。
【００８４】
第３レンズ群Ｇ３は、物体側から像側へと順に、両凸形状の第８レンズ素子Ｌ８と、物体側に凸面を向けた正メニスカス形状の第９レンズ素子Ｌ９と、物体側に緩い凸面を向けた負メニスカス形状の第１０レンズ素子Ｌ１０と、開口絞りＡと、像側に凸面を向けた負メニスカス形状の第１１レンズ素子Ｌ１１と、像側に凸面を向けた正メニスカス形状の第１２レンズ素子Ｌ１２とからなる。第１１レンズ素子Ｌ１１と第１２レンズ素子Ｌ１２とが互いに接合されており、後述する対応数値実施例における面データでは、これら第１１レンズ素子Ｌ１１と第１２レンズ素子Ｌ１２との間の接着剤層に面番号２３が付与されている。
【００８５】
第４レンズ群Ｇ４は、物体側から像側へと順に、物体側に凸面を向けた負メニスカス形状の第１３レンズ素子Ｌ１３と、両凸形状の第１４レンズ素子Ｌ１４と、両凸形状の第１５レンズ素子Ｌ１５と、像側に凸面を向けた正メニスカス形状の第１６レンズ素子Ｌ１６と、両凹形状の第１７レンズ素子Ｌ１７とからなる。第１３レンズ素子Ｌ１３と第１４レンズ素子Ｌ１４とが互いに接合されており、後述する対応数値実施例における面データでは、これら第１３レンズ素子Ｌ１３と第１４レンズ素子Ｌ１４との間の接着剤層に面番号２７が付与されている。また、第１６レンズ素子Ｌ１６と第１７レンズ素子Ｌ１７とが互いに接合されている。
【００８６】
第５レンズ群Ｇ５は、物体側に凸面を向けた正メニスカス形状の第１８レンズ素子Ｌ１８のみからなる。
【００８７】
第６レンズ群Ｇ６は、物体側から像側へと順に、物体側に凸面を向けた負メニスカス形状の第１９レンズ素子Ｌ１９と、像側に凸面を向けた正メニスカス形状の第２０レンズ素子Ｌ２０と、両凹形状の第２１レンズ素子Ｌ２１とからなる。
【００８８】
第７レンズ群Ｇ７は、両凸形状の第２２レンズ素子Ｌ２２のみからなる。
【００８９】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は狭くなり、第４レンズ群Ｇ４と第５レンズ群Ｇ５との間隔は広くなり、第５レンズ群Ｇ５と第６レンズ群Ｇ６との間隔は狭くなり、第６レンズ群Ｇ６と第７レンズ群Ｇ７との間隔は広くなるように、各レンズ群が光軸に沿って移動する。
【００９０】
撮像時の広角端から望遠端へのズーミングの際に、第１レンズ群Ｇ１は像面Ｓに対して固定で、第２レンズ群Ｇ２は像側へ移動し、第３レンズ群Ｇ３は像面Ｓに対して固定で、第４レンズ群Ｇ４は物体側へ移動し、第５レンズ群Ｇ５は物体側へ移動し、第６レンズ群Ｇ６は物体側へ移動し、第７レンズ群Ｇ７は像面Ｓに対して固定である。
【００９１】
無限遠合焦状態から近接物体合焦状態へのフォーカシングの際に、フォーカシングレンズ群である第５レンズ群Ｇ５は、いずれのズーミング状態でも光軸に沿って物体側へ移動する。
【００９２】
第４レンズ群Ｇ４の一部である第１６レンズ素子Ｌ１６と第１７レンズ素子Ｌ１７との接合レンズ素子は、像のぶれを光学的に補正するために光軸に対して垂直方向に移動する像ぶれ補正レンズ群に相当する。
【００９３】
（実施の形態７）
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた負メニスカス形状の第３レンズ素子Ｌ３と、物体側に凸面を向けた正メニスカス形状の第４レンズ素子Ｌ４とからなる。第１レンズ素子Ｌ１と第２レンズ素子Ｌ２とが互いに接合されており、後述する対応数値実施例における面データでは、これら第１レンズ素子Ｌ１と第２レンズ素子Ｌ２との間の接着剤層に面番号２が付与されている。また、第３レンズ素子Ｌ３と第４レンズ素子Ｌ４とが互いに接合されており、後述する対応数値実施例における面データでは、これら第３レンズ素子Ｌ３と第４レンズ素子Ｌ４との間の接着剤層に面番号６が付与されている。
【００９４】
第２レンズ群Ｇ２は、物体側から像側へと順に、物体側に凸面を向けた負メニスカス形状の第５レンズ素子Ｌ５と、物体側に凸面を向けた正メニスカス形状の第６レンズ素子Ｌ６と、両凹形状の第７レンズ素子Ｌ７とからなる。第５レンズ素子Ｌ５と第６レンズ素子Ｌ６とが互いに接合されており、後述する対応数値実施例における面データでは、これら第５レンズ素子Ｌ５と第６レンズ素子Ｌ６との間の接着剤層に面番号１０が付与されている。
【００９５】
第３レンズ群Ｇ３は、物体側から像側へと順に、両凸形状の第８レンズ素子Ｌ８と、物体側に凸面を向けた正メニスカス形状の第９レンズ素子Ｌ９と、物体側に緩い凸面を向けた負メニスカス形状の第１０レンズ素子Ｌ１０と、開口絞りＡと、像側に凸面を向けた負メニスカス形状の第１１レンズ素子Ｌ１１とからなる。
【００９６】
第４レンズ群Ｇ４は、物体側から像側へと順に、物体側に凸面を向けた負メニスカス形状の第１２レンズ素子Ｌ１２と、両凸形状の第１３レンズ素子Ｌ１３と、両凸形状の第１４レンズ素子Ｌ１４と、像側に凸面を向けた正メニスカス形状の第１５レンズ素子Ｌ１５と、両凹形状の第１６レンズ素子Ｌ１６とからなる。第１２レンズ素子Ｌ１２と第１３レンズ素子Ｌ１３とが互いに接合されており、後述する対応数値実施例における面データでは、これら第１２レンズ素子Ｌ１２と第１３レンズ素子Ｌ１３との間の接着剤層に面番号２５が付与されている。また、第１５レンズ素子Ｌ１５と第１６レンズ素子Ｌ１６とが互いに接合されており、後述する対応数値実施例における面データでは、これら第１５レンズ素子Ｌ１５と第１６レンズ素子Ｌ１６との間の接着剤層に面番号３１が付与されている。
【００９７】
第５レンズ群Ｇ５は、物体側に凸面を向けた正メニスカス形状の第１７レンズ素子Ｌ１７のみからなる。
【００９８】
第６レンズ群Ｇ６は、物体側から像側へと順に、物体側に凸面を向けた負メニスカス形状の第１８レンズ素子Ｌ１８と、両凸形状の第１９レンズ素子Ｌ１９と、両凹形状の第２０レンズ素子Ｌ２０とからなる。
【００９９】
第７レンズ群Ｇ７は、物体側に凸面を向けた正メニスカス形状の第２１レンズ素子Ｌ２１のみからなる。
【０１００】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は狭くなり、第４レンズ群Ｇ４と第５レンズ群Ｇ５との間隔は広くなり、第５レンズ群Ｇ５と第６レンズ群Ｇ６との間隔は狭くなり、第６レンズ群Ｇ６と第７レンズ群Ｇ７との間隔は広くなるように、各レンズ群が光軸に沿って移動する。
【０１０１】
撮像時の広角端から望遠端へのズーミングの際に、第１レンズ群Ｇ１は像面Ｓに対して固定で、第２レンズ群Ｇ２は像側へ移動し、第３レンズ群Ｇ３は像面Ｓに対して固定で、第４レンズ群Ｇ４は物体側へ移動し、第５レンズ群Ｇ５は物体側へ移動し、第６レンズ群Ｇ６は物体側へ移動し、第７レンズ群Ｇ７は像面Ｓに対して固定である。
【０１０２】
無限遠合焦状態から近接物体合焦状態へのフォーカシングの際に、フォーカシングレンズ群である第５レンズ群Ｇ５は、いずれのズーミング状態でも光軸に沿って物体側へ移動する。
【０１０３】
第４レンズ群Ｇ４の一部である第１５レンズ素子Ｌ１５と第１６レンズ素子Ｌ１６との接合レンズ素子は、像のぶれを光学的に補正するために光軸に対して垂直方向に移動する像ぶれ補正レンズ群に相当する。
【０１０４】
実施の形態１〜７に係るズームレンズ系は、物体側から像側へと順に、正のパワーを有する第１レンズ群Ｇ１と、負のパワーを有する第２レンズ群Ｇ２と、後続レンズ群とからなり、第１レンズ群Ｇ１は、３枚又は４枚のレンズ素子で構成されている。
【０１０５】
このように、第１レンズ群Ｇ１が３枚又は４枚のレンズ素子で構成されているので、望遠端での球面収差と広角端での倍率色収差とを同時に、かつ良好に補正することが可能である。実施の形態１〜７に係るズームレンズ系において、第１レンズ群Ｇ１は、負のパワーを有するレンズ素子を１枚以上含んでいるので、このような効果をさらに奏功させることができる。第１レンズ群Ｇ１が５枚以上のレンズ素子で構成される場合には、レンズ全長が長くなりやすい。また、正のパワーを有する第１レンズ群Ｇ１は有効径が大きく、第１レンズ群Ｇ１が５枚以上のレンズ素子で構成される場合には、コストアップとなり、好ましくない。
【０１０６】
実施の形態１〜７に係るズームレンズ系は、開口絞りＡと、像のぶれを光学的に補正するために光軸に対して垂直方向に移動する、１枚以上のレンズ素子で構成された像ぶれ補正レンズ群と、無限遠合焦状態から近接物体合焦状態へのフォーカシングの際に光軸に沿って移動する、１枚以上のレンズ素子で構成されたフォーカシングレンズ群とを備えている。後続レンズ群は、開口絞りＡ、像ぶれ補正レンズ群及びフォーカシングレンズ群を有し、像ぶれ補正レンズ群及びフォーカシングレンズ群は、開口絞りＡよりも像側に配置されている。
【０１０７】
正のパワーを有する第１レンズ群Ｇ１と負のパワーを有する第２レンズ群Ｇ２と後続レンズ群とを備えるレンズ構成では、光束径は開口絞りＡの物体側よりも像側で小さくなる傾向がある。よって、像ぶれ補正レンズ群及びフォーカシングレンズ群の小径化並びに軽量化を想定すると、これら像ぶれ補正レンズ群及びフォーカシングレンズ群を開口絞りＡよりも像側に配置することが最適である。また、像ぶれ補正レンズ群及びフォーカシングレンズ群の小径化並びに軽量化が達成されれば、駆動系の簡略化及び小型化にも繋がり、ズームレンズ系を保持するレンズ鏡筒の小型化及び軽量化を達成することが可能となる。
【０１０８】
実施の形態１〜７に係るズームレンズ系では、像ぶれ補正レンズ群とフォーカシングレンズ群との間には、負のパワーを有するレンズ素子が配置されていない。像ぶれ補正レンズ群とフォーカシングレンズ群との間に負のパワーを有するレンズ素子が配置されていると、該負のパワーを有するレンズ素子よりも像側に配置されたレンズ素子に発散光が入射する場合がある。そうすると、発散光の入射を考慮して充分な光量を確保するためには、レンズ径を大きくせざるを得ない。その結果、フォーカシングやぶれ補正を制御する駆動系の簡略化及び小型化が困難となり、レンズ鏡筒の小型化及び軽量化を達成することが困難となるおそれがある。
【０１０９】
実施の形態１〜４、６及び７に係るズームレンズ系では、最像側に配置されたレンズ群が正のパワーを有する。これにより、像面Ｓに入射する光線角度が緩やかになる。また、撮像時の広角端から望遠端へのズーミングの際に生じる、像面Ｓに入射する光線角度幅の変位量を小さくすることができ、画面周辺まで明るさの均一な画像を得ることができる。
【０１１０】
実施の形態１〜７に係るズームレンズ系では、最像側に配置されたレンズ群が、撮像時の広角端から望遠端へのズーミングの際に像面Ｓに対して固定である。これにより、レンズ鏡筒の構成の簡略化が可能となる。
【０１１１】
実施の形態１〜７に係るズームレンズ系では、像ぶれ補正レンズ群及びフォーカシングレンズ群の少なくとも１つが負のパワーを有する。これにより、開口絞りＡよりも像側で、光束を絞った位置に像ぶれ補正レンズ群及びフォーカシングレンズ群の少なくとも１つを配置することができ、ズームレンズ系の小径化及び軽量化に有利である。
【０１１２】
実施の形態１〜７に係るズームレンズ系では、後続レンズ群が少なくとも３つのレンズ群を含む。後続レンズ群として、撮像時の広角端から望遠端へのズーミングの際に互いの間隔が変化するレンズ群を３つ以上配置することにより、ズーミング全域でズームレンズ系の光学性能を良好に維持することができ、光学系の小型化及び軽量化に寄与することができる。
【０１１３】
実施の形態１〜７に係るズームレンズ系では、像ぶれ補正レンズ群が接合レンズ素子を有する。像ぶれ補正レンズ群を光軸に対して垂直方向に移動させる際には、色ズレが発生し、光学性能を低下させる一因となる場合があるが、像ぶれ補正レンズ群が、正のパワーを有するレンズ素子と負のパワーを有するレンズ素子とを接合した接合レンズ素子を含むことにより、像ぶれ補正時の色ズレを良好に補正することができる。
【０１１４】
実施の形態１及び４〜７に係るズームレンズ系では、撮像時の広角端から望遠端へのズーミングの際に、第１レンズ群Ｇ１が像面Ｓに対して固定である。これにより、ズーミング全域でレンズ鏡筒の重心が一定に保持され、安定した撮像が可能となる。さらに、レンズ鏡筒の構成の簡略化が可能となり、レンズ鏡筒の防塵防滴効果が高まる。
【０１１５】
実施の形態１及び４〜７に係るズームレンズ系では、後続レンズ群が少なくとも２つのレンズ群を含み、撮像時の広角端から望遠端へのズーミングの際に、第１レンズ群Ｇ１と、該後続レンズ群の少なくとも２つのレンズ群とが、像面Ｓに対して固定である。すなわち、実施の形態１及び４〜７に係るズームレンズ系は、ズーミングの際に光軸に沿って移動しないレンズ群を３つ以上含む。このように、レンズ群の可動部を低減させることで、レンズ鏡筒の構成の簡略化が可能となり、交換レンズ装置及びカメラシステムの低コスト化が実現される。
【０１１６】
実施の形態１及び４〜７に係るズームレンズ系では、撮像時の広角端から望遠端へのズーミングの際に、開口絞りＡが像面Ｓに対して固定である。一般に、開口絞りを構成する駆動系ユニットは大型化する傾向があるので、開口絞りの周辺のレンズ鏡筒の構成を簡略化することで、開口絞りを構成する駆動系ユニットの配置スペースが確保され、レンズ鏡筒径の小型化が達成される。
【０１１７】
実施の形態１及び４〜７に係るズームレンズ系では、フォーカシングレンズ群の最物体側レンズ面が、物体側に凸面を向けた形状を有する。これにより、無限遠合焦状態から近接物体合焦状態へのフォーカシングの際に、球面収差の変動を充分に抑制することができる。
【０１１８】
実施の形態１及び４、６及び７に係るズームレンズ系では、物体側から像側へと順に、開口絞り、像ぶれ補正レンズ群及びフォーカシングレンズ群が配置されている。これにより、像ぶれ補正レンズ群及びフォーカシングレンズ群の小型化並びに軽量化が可能となる。
【０１１９】
以上のように、本出願において開示する技術の例示として、実施の形態１〜７を説明した。しかしながら、本開示における技術は、これに限定されず、適宜、変更、置き換え、付加、省略などを行った実施の形態にも適用可能である。
【０１２０】
以下、例えば実施の形態１〜７に係るズームレンズ系のごときズームレンズ系が満足することが可能な条件を説明する。なお、各実施の形態に係るズームレンズ系に対して、複数の可能な条件が規定されるが、これら複数の条件すべてを満足するズームレンズ系の構成が最も効果的である。しかしながら、個別の条件を満足することにより、それぞれ対応する効果を奏するズームレンズ系を得ることも可能である。
【０１２１】
例えば実施の形態１〜７に係るズームレンズ系のように、物体側から像側へと順に、正のパワーを有する第１レンズ群と、負のパワーを有する第２レンズ群と、後続レンズ群とからなり、前記第１レンズ群は、３枚又は４枚のレンズ素子で構成されており、開口絞りと、像のぶれを光学的に補正するために光軸に対して垂直方向に移動する、１枚以上のレンズ素子で構成された像ぶれ補正レンズ群と、無限遠合焦状態から近接物体合焦状態へのフォーカシングの際に光軸に沿って移動する、１枚以上のレンズ素子で構成されたフォーカシングレンズ群とを備えており、前記後続レンズ群は、前記開口絞り、前記像ぶれ補正レンズ群及び前記フォーカシングレンズ群を有し、前記像ぶれ補正レンズ群及びフォーカシングレンズ群は、開口絞りよりも像側に配置されている（以下、このレンズ構成を、実施の形態の基本構成という）ズームレンズ系は、以下の条件（１）及び（２）を満足する。
１．８＜｜（ＹＷ／ｆＷ）×ＦＮＯＴ×（ｆＴ／ｆＷ）｜＜４．５  ・・・（１）
０．００１＜（Ｄ１Ｗ＋Ｄ２Ｔ）／ｆＷ＜０．２００  ・・・（２）
ここで、
ＹＷ：次式で表される、広角端における対角像高
ＹＷ＝ｆＷ×ｔａｎ（ωＷ）、
ｆＷ：広角端における全系の焦点距離、
ｆＴ：望遠端における全系の焦点距離、
ωＷ：広角端における半画角、
ＦＮＯＴ：望遠端におけるＦナンバー、
Ｄ１Ｗ：広角端における第１レンズ群と第２レンズ群との面頂間隔、
Ｄ２Ｔ：望遠端における第２レンズ群と第３レンズ群との面頂間隔
である。
【０１２２】
前記条件（１）は、広角端から望遠端へのズーミング変動範囲、すなわちズーム比と、広角端での対角像高及び望遠端でのＦナンバーの関係を規定している。各実施の形態に係るズームレンズ系は、条件（１）を満足するので、ズーミング全域で良好な光学性能を維持しながら、レンズ全長の短縮化と望遠端での大口径化とが可能である。条件（１）の上限を上回ると、開口絞りよりも像側に配置されたレンズ素子の有効径が大きくなり、像ぶれ補正レンズ群及びフォーカシングレンズ群の小型化並びに軽量化が達成されない。条件（１）の下限を下回ると、レンズ全長の短縮化を達成させながら、高い光学性能を維持することができない。
【０１２３】
以下の条件（１）’及び（１）’’の少なくとも１つを満足することにより、前記効果をさらに奏功させることができる。
２．１＜｜（ＹＷ／ｆＷ）×ＦＮＯＴ×（ｆＴ／ｆＷ）｜  ・・・（１）’
｜（ＹＷ／ｆＷ）×ＦＮＯＴ×（ｆＴ／ｆＷ）｜＜４．４  ・・・（１）’’
【０１２４】
前記条件（２）は、広角端での第１レンズ群と第２レンズ群との間隔及び望遠端での第２レンズ群と第３レンズ群との間隔の合計と、広角端での焦点距離との比を規定している。各実施の形態に係るズームレンズ系は、条件（２）を満足するので、最もレンズ全長が短縮化された構成である。条件（２）の上限を上回ると、広角端でレンズ全長の短縮化の可能性が残っており、小型化の観点で最適ではない。条件（２）の下限を下回ると、広角端で第１レンズ群と第２レンズ群との間隔が充分に確保されていないか、又は、望遠端で第２レンズ群と第３レンズ群との間隔が充分に確保されておらず、レンズ鏡筒の構成が現実的ではない。
【０１２５】
以下の条件（２−１）’及び（２−１）’’の少なくとも１つを満足することにより、前記効果をさらに奏功させることができる。
０．０１＜（Ｄ１Ｗ＋Ｄ２Ｔ）／ｆＷ  ・・・（２−１）’
（Ｄ１Ｗ＋Ｄ２Ｔ）／ｆＷ＜０．１８  ・・・（２−１）’’
【０１２６】
さらに以下の条件（２−２）’及び（２−２）’’の少なくとも１つを満足することにより、前記効果をより一層奏功させることができる。
０．０２＜（Ｄ１Ｗ＋Ｄ２Ｔ）／ｆＷ  ・・・（２−２）’
（Ｄ１Ｗ＋Ｄ２Ｔ）／ｆＷ＜０．１６  ・・・（２−２）’’
【０１２７】
実施の形態１〜７に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、有益である。
【０１２８】
（実施の形態８）
図２２は、実施の形態８に係るレンズ交換式デジタルカメラシステムの概略構成図である。
【０１２９】
本実施の形態８に係るレンズ交換式デジタルカメラシステム１００は、カメラ本体１０１と、カメラ本体１０１に着脱自在に接続される交換レンズ装置２０１とを備える。
【０１３０】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜７いずれかに係るズームレンズ系２０２と、ズームレンズ系２０２を保持する鏡筒２０３と、カメラ本体１０１のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図２２においては、ズームレンズ系２０２として実施の形態１に係るズームレンズ系を用いた場合を図示している。
【０１３１】
本実施の形態８では、実施の形態１〜７いずれかに係るズームレンズ系２０２を用いているので、コンパクトで結像性能に優れた交換レンズ装置を低コストで実現することができる。また、本実施の形態８に係るカメラシステム１００全体の小型化及び低コスト化も達成することができる。なお、これら実施の形態１〜７に係るズームレンズ系は、全てのズーミング域を使用する必要はない。すなわち、所望のズーミング域に応じて、光学性能が確保されている範囲を切り出し、以下の対応する数値実施例１〜７で説明するズームレンズ系よりも低倍率のズームレンズ系として使用してもよい。
【０１３２】
以上のように、本出願において開示する技術の例示として、実施の形態８を説明した。しかしながら、本開示における技術は、これに限定されず、適宜、変更、置き換え、付加、省略などを行った実施の形態にも適用可能である。
【０１３３】
以下、実施の形態１〜７に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。
【０１３４】
図２、５、８、１１、１４、１７及び２０は、各々数値実施例１〜７に係るズームレンズ系の無限遠合焦状態の縦収差図である。
【０１３５】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１３６】
図３、６、９、１２、１５、１８及び２１は、各々数値実施例１〜７に係るズームレンズ系の望遠端における横収差図である。
【０１３７】
各横収差図において、上段３つの収差図は、望遠端における像ぶれ補正を行っていない基本状態、下段３つの収差図は、像ぶれ補正レンズ群を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸を含む平面としている。
【０１３８】
なお、各数値実施例のズームレンズ系について、望遠端における、像ぶれ補正状態での像ぶれ補正レンズ群の光軸と垂直な方向への移動量（ｍｍ）は、以下に示すとおりである。
数値実施例    移動量（ｍｍ）
１            ０．０１４
２            ０．０１４
３            ０．００６
４            ０．０１５
５            ０．０１１
６            ０．０１４
７            ０．０１４
【０１３９】
撮影距離が∞で望遠端において、ズームレンズ系が０．３°だけ傾いた場合の像偏心量は、像ぶれ補正レンズ群が光軸と垂直な方向に上記の各値だけ平行移動するときの像偏心量に等しい。
【０１４０】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°までの像ぶれ補正角に対して、結像特性を低下させることなく充分な像ぶれ補正を行うことが可能である。
【０１４１】
（数値実施例１）
数値実施例１のズームレンズ系は、図１に示した実施の形態１に対応する。数値実施例１のズームレンズ系の面データを表１に、各種データを表２に、単レンズデータを表３に、ズームレンズ群データを表４に、ズームレンズ群倍率を表５に示す。
【０１４２】
表  １（面データ）
面番号         r           d           nd         vd     
物面             ∞                                               
1          1.97670     0.09710     1.59349    67.0    
2        -27.34500     0.00280                                   
3          0.99050     0.02770     1.90366    31.3               
4          0.76780     0.16640     1.43700    95.1               
5          6.20320        可変                                   
6          3.73750     0.01110     1.80610    40.7               
7          0.88470     0.02420                                   
8          2.01260     0.01110     1.90366    31.3               
9          0.52090     0.00010     1.56732    42.8               
10          0.52090     0.06490     1.94595    18.0               
11          1.31660     0.05180                                   
12         -1.14410     0.01660     1.62041    60.3               
13          8.49400        可変                        
14          1.46840     0.06100     2.00100    29.1               
15         -2.13270     0.00280                                   
16          0.56500     0.01140     1.85000    32.4               
17          0.45250     0.02570                                   
18          0.50010     0.04820     1.90366    31.3               
19          0.76250     0.06830                                   
20         -9.80030     0.01110     1.94595    18.0               
21          1.15290     0.03530                                   
22(絞り)           ∞     0.07310                        
23         -0.45230     0.01110     1.80518    25.5               
24          3.15330     0.01150                                   
25          2.43770     0.07790     1.80610    33.3               
26         -0.57980        可変                                   
27          6.00420     0.01390     1.99585    27.9               
28          0.65510     0.00010     1.56732    42.8               
29          0.65510     0.08810     1.59349    67.0               
30         -0.91840     0.00280                                   
31          1.23050     0.04170     2.00100    29.1               
32        -34.22880     0.02930                        
33         -2.87640     0.06410     1.88527    19.1               
34         -0.52510     0.01110     1.83320    27.2               
35          1.27270        可変                                   
36          0.75850     0.05550     1.68051    49.4    
37        -11.63970        可変                                   
38          1.87400     0.01110     1.89021    26.0               
39          0.66790     0.04010                                   
40         11.52330     0.05520     1.64914    55.2               
41         -0.88320     0.09760                                   
42         -0.83910     0.01110     1.59042    41.9               
43          1.31070        可変                                   
44          1.19230     0.05990     1.94276    18.0    
45        174.07690        (BF)                                   
像面             ∞                                               
【０１４３】
表  ２（各種データ）
ズーム比      2.69978
広角      中間      望遠
焦点距離       0.9999    1.6429    2.6995
Ｆナンバー     2.90336   2.93270   2.90504
画角        16.8769   10.2190    6.2154
像高         0.3000    0.3000    0.3000
レンズ全長      3.2248    3.2235    3.2244
ＢＦ        0.60383   0.60370   0.60439
d5           0.0290    0.3162    0.5812
d13          0.5667    0.2796    0.0146
d26          0.2769    0.1631    0.0142
d35          0.0610    0.0736    0.2223
d37          0.1808    0.1683    0.0196
d43          0.0138    0.1262    0.2753
入射瞳位置      1.0843    1.8262    2.7418
射出瞳位置     -1.3670   -1.5729   -2.3271
前側主点位置    1.5769    2.2291    2.9554
後側主点位置    2.2249    1.5806    0.5249
【０１４４】
表  ３（単レンズデータ）
レンズ     始面     焦点距離
1         1        3.1099
2         3       -4.0161
3         4        1.9867
4         6       -1.4404
5         8       -0.7805
6        10        0.8764
7        12       -1.6241
8        14        0.8762
9        16       -2.8042
10        18        1.4792
11        20       -1.0900
12        23       -0.4906
13        25        0.5878
14        27       -0.7394
15        29        0.6580
16        31        1.1873
17        33        0.7164
18        34       -0.4449
19        36        1.0483
20        38       -1.1708
21        40        1.2659
22        42       -0.8648
23        44        1.2732
【０１４５】
表  ４（ズームレンズ群データ）
群   始面    焦点距離  レンズ構成長    前側主点位置  後側主点位置
1      1     1.75963     0.29400        -0.00193       0.10051
2      6    -0.64586     0.17980         0.07440       0.12594
3     14     1.70594     0.43740        -0.14685      -0.05234
4     27     3.90066     0.25110        -0.09937       0.00938
5     36     1.04831     0.05550         0.00202       0.02444
6     38    -0.80391     0.21510         0.11953       0.16267
7     44     1.27320     0.05990        -0.00021       0.02886
【０１４６】
表  ５（ズームレンズ群倍率）
群   始面    広角       中間       望遠
1      1    0.00000    0.00000    0.00000
2      6   -0.79064   -1.21935   -2.44020
3     14   22.52504   19.84697   -3.89895
4     27   -0.11648   -0.13542    0.32907
5     36    0.20561    0.20317    0.32767
6     38    2.65730    2.79650    2.98534
7     44    0.50136    0.50146    0.50092
【０１４７】
（数値実施例２）
数値実施例２のズームレンズ系は、図４に示した実施の形態２に対応する。数値実施例２のズームレンズ系の面データを表６に、各種データを表７に、単レンズデータを表８に、ズームレンズ群データを表９に、ズームレンズ群倍率を表１０に示す。
【０１４８】
表  ６（面データ）
面番号         r           d           nd         vd     
物面             ∞                                               
1          1.88670     0.02770     1.90366    31.3    
2          1.47620     0.11830     1.49700    81.6               
3        -24.47620     0.00280                                   
4          1.88940     0.06900     1.49700    81.6               
5          5.94170        可変                                   
6          1.30460     0.01120     1.59669    65.5    
7          0.50010     0.08610                                   
8         -0.72310     0.01160     1.64013    32.6               
9          0.62800     0.05760     1.94595    18.0               
10          2.65740     0.04160                                   
11(絞り)           ∞        可変                        
12          1.38340     0.01110     1.98339    24.5               
13          0.50340     0.00010     1.56732    42.8               
14          0.50340     0.11000     1.82918    35.6               
15         -1.25640     0.00550                                   
16          0.47400     0.10440     1.78164    26.2               
17         -1.47790     0.00010     1.56732    42.8               
18         -1.47790     0.04250     1.81011    24.2               
19          0.42220     0.09800                                   
20         -0.42850     0.01110     1.84566    23.8               
21         66.88480     0.01340                                   
22          1.65520     0.04120     1.76565    22.3               
23        -11.25210     0.00480                                   
24         31.51010     0.06300     1.85345    22.6               
25         -0.72320        可変                                   
26        -21.87790     0.01390     1.97287    22.3               
27          0.58150     0.00010     1.56732    42.8               
28          0.58150     0.11220     1.49700    81.6               
29         -0.63630     0.00280                                   
30          1.11030     0.05390     1.90069    32.3    
31         -4.63640     0.02260                                   
32         -3.84910     0.04000     1.94595    18.0               
33         -1.24500     0.01110     1.72342    38.0               
34          0.85260        可変                                   
35          0.61970     0.06380     1.71300    53.9    
36          4.84270        可変                                   
37         -2.00340     0.04020     1.77051    24.8               
38         -1.01710     0.00300                                   
39         -1.80660     0.01190     1.82597    35.7               
40          0.61790        可変                                   
41          1.13780     0.07670     1.75862    25.0               
42         -6.27170        (BF)                                   
像面             ∞                                               
【０１４９】
表  ７（各種データ）
ズーム比      2.69929
広角      中間      望遠
焦点距離       1.0001    1.6436    2.6997
Ｆナンバー     2.90615   2.90711   2.91261
画角        16.8803   10.1861    6.2045
像高         0.3000    0.3000    0.3000
レンズ全長      2.6889    3.1802    3.6839
ＢＦ        0.60442   0.60477   0.60481
d5           0.0137    0.6274    1.1342
d11          0.2232    0.0764    0.0138
d25          0.1685    0.0908    0.0137
d34          0.0549    0.0728    0.2065
d36          0.2038    0.1921    0.0434
d40          0.0371    0.1326    0.2842
入射瞳位置      0.3442    1.4240    3.2362
射出瞳位置     -2.3587   -1.9023   -2.9697
前側主点位置    1.0068    1.9901    3.8969
後側主点位置    1.6888    1.5366    0.9842
【０１５０】
表  ８（単レンズデータ）
レンズ     始面     焦点距離
1         1       -7.7566
2         2        2.8055
3         4        5.5428
4         6       -1.3662
5         8       -0.5233
6         9        0.8575
7        12       -0.8098
8        14        0.4461
9        16        0.4702
10        18       -0.4013
11        20       -0.5034
12        22        1.8872
13        24        0.8291
14        26       -0.5821
15        28        0.6306
16        30        0.9990
17        32        1.9310
18        33       -0.6980
19        35        0.9905
20        37        2.6346
21        39       -0.5562
22        41        1.2752
【０１５１】
表  ９（ズームレンズ群データ）
群   始面    焦点距離  レンズ構成長    前側主点位置  後側主点位置
1      1     2.48620     0.21780         0.02854       0.10331
2      6    -0.64857     0.20810         0.05780       0.09800
3     12     0.98834     0.50520        -0.00958       0.12810
4     26     8.39219     0.25660         0.11783       0.22117
5     35     0.99046     0.06380        -0.00543       0.02136
6     37    -0.69995     0.05510         0.02624       0.04941
7     41     1.27522     0.07670         0.00673       0.03962
【０１５２】
表  １０（ズームレンズ群倍率）
群   始面    広角       中間       望遠
1      1    0.00000    0.00000    0.00000
2      6   -0.39268   -0.62485   -1.22106
3     12   -4.14203   -4.07743   -1.74474
4     26    0.65508    0.65438    0.79199
5     35    0.26064    0.26146    0.39625
6     37    2.91503    3.05344    3.27028
7     41    0.49694    0.49668    0.49664
【０１５３】
（数値実施例３）
数値実施例３のズームレンズ系は、図７に示した実施の形態３に対応する。数値実施例３のズームレンズ系の面データを表１１に、各種データを表１２に、単レンズデータを表１３に、ズームレンズ群データを表１４に、ズームレンズ群倍率を表１５に示す。
【０１５４】
表  １１（面データ）
面番号         r           d           nd         vd     
物面             ∞                                               
1          0.94530     0.06080     1.48749    70.4    
2        -15.88710     0.00640                                   
3          0.68810     0.01400     1.83400    37.3               
4          0.45290     0.00010     1.56732    42.8               
5          0.45290     0.08570     1.49700    81.6               
6          2.36770        可変                                   
7         -1.31620     0.00860     1.73604    32.8    
8          0.36770     0.00910                                   
9          0.36450     0.02600     1.94595    18.0               
10          1.30540        可変                                   
11          1.46790     0.01550     1.66839    53.7               
12      -1266.25570     0.00010     1.56732    42.8               
13      -1266.25570     0.00860     1.68157    33.4               
14          0.29580     0.15670                                   
15          0.46790     0.04680     1.67887    49.4               
16         -1.93220        可変                                   
17(絞り)           ∞     0.01060                        
18          0.39080     0.00860     1.90498    23.0               
19          0.21330     0.04890     1.54510    67.4               
20         -1.16050     0.00220                                   
21          0.83510     0.01840     1.68131    57.1    
22        -15.45630        可変                                   
23        220.33300     0.00860     1.91082    35.2    
24          0.28740     0.00870                        
25         -7.73410     0.01340     1.94468    18.3    
26         -0.49230     0.00010     1.56732    42.8               
27         -0.49230     0.00860     1.81439    37.5    
28          1.17440     0.01590                                   
29          0.32420     0.02070     1.80716    42.6               
30         12.70050        可変                        
31         -4.92090     0.00860     1.91082    35.2    
32          0.29030     0.00010     1.56732    42.8    
33          0.29030     0.03290     1.64138    30.5    
34         -0.25060     0.02790                        
35         -0.22040     0.00860     1.91082    35.2    
36          1.04280        可変                                   
37        -64.36280     0.02530     1.91041    18.6               
38         -0.63330        (BF)                                   
像面             ∞                                               
【０１５５】
表  １２（各種データ）
ズーム比      3.13356
広角      中間      望遠
焦点距離       1.0013    1.7725    3.1375
Ｆナンバー     4.13568   4.79331   5.76960
画角         6.6946    3.8152    2.1755
像高         0.1200    0.1200    0.1200
レンズ全長      1.5332    1.8342    2.0682
ＢＦ        0.17303   0.17413   0.17424
d6           0.0763    0.3779    0.6109
d10          0.0525    0.0954    0.0812
d16          0.2510    0.1307    0.0165
d22          0.1288    0.0927    0.0153
d30          0.0801    0.0222    0.0215
d36          0.0650    0.2347    0.4421
入射瞳位置      0.8682    2.1959    4.4763
射出瞳位置     -0.3676   -0.8867   -3.2950
前側主点位置    0.0150    1.0068    4.7763
後側主点位置    0.5320    0.0617   -1.0693
【０１５６】
表  １３（単レンズデータ）
レンズ     始面     焦点距離
1         1        1.8324
2         3       -1.6329
3         5        1.1103
4         7       -0.3896
5         9        0.5275
6        11        2.1937
7        13       -0.4339
8        15        0.5593
9        18       -0.5312
10        19        0.3348
11        21        1.1634
12        23       -0.3160
13        25        0.5561
14        27       -0.4250
15        29        0.4119
16        31       -0.3007
17        33        0.2148
18        35       -0.1991
19        37        0.7024
【０１５７】
表  １４（ズームレンズ群データ）
群   始面    焦点距離  レンズ構成長    前側主点位置  後側主点位置
1      1     1.21626     0.16700        -0.00636       0.05052
2      7    -1.54763     0.04370        -0.01102       0.00526
3     11     2.10832     0.22770         0.61600       0.81816
4     17     0.51768     0.08870         0.03292       0.06074
5     23    -0.97662     0.07600        -0.07038      -0.05601
6     31    -0.29263     0.07810         0.05868       0.08022
7     37     0.70240     0.02530         0.01337       0.02543
【０１５８】
表  １５（ズームレンズ群倍率）
群   始面    広角       中間       望遠
1      1    0.00000    0.00000    0.00000
2      7    3.01602    1.89955    1.47712
3     11    0.46629    0.76648    0.99869
4     17    0.26555    0.36029    0.48770
5     23    1.43034    1.40373    1.42720
6     31    2.04435    2.63092    3.34033
7     37    0.75385    0.75228    0.75212
【０１５９】
（数値実施例４）
数値実施例４のズームレンズ系は、図１０に示した実施の形態４に対応する。数値実施例４のズームレンズ系の面データを表１６に、各種データを表１７に、単レンズデータを表１８に、ズームレンズ群データを表１９に、ズームレンズ群倍率を表２０に示す。
【０１６０】
表  １６（面データ）
面番号         r           d           nd         vd     
物面             ∞                                               
1          1.88350     0.09710     1.59349    67.0    
2       -108.89530     0.01310                                   
3          1.02890     0.02770     1.90366    31.3               
4          0.79250     0.16650     1.43700    95.1               
5          7.28390        可変                                   
6          5.77060     0.01420     1.90366    31.3               
7          0.43310     0.00010     1.56732    42.8               
8          0.43310     0.06050     1.94595    18.0               
9          0.86160     0.06170                                   
10         -1.24340     0.01660     1.61800    63.4               
11          3.90340        可変                        
12          0.96730     0.03060     2.00100    29.1    
13         -2.55190     0.08070                                   
14         -1.66460     0.01110     1.94595    18.0               
15          5.01040     0.01640                                   
16(絞り)           ∞     0.05780                        
17         -0.44640     0.01760     1.84666    23.8               
18         -1.49340     0.00010     1.56732    42.8               
19         -1.49340     0.06770     1.80518    25.5               
20         -0.51710        可変                                   
21         81.16970     0.01390     2.00069    25.5               
22          0.63010     0.00010     1.56732    42.8               
23          0.63010     0.04560     1.60625    63.7               
24         -0.93760     0.02300                                   
25          1.31480     0.04060     2.00100    29.1               
26         -2.35590     0.03650                        
27         -2.02150     0.06470     1.94595    18.0               
28         -0.47730     0.01110     1.84445    24.1               
29          1.45800        可変                                   
30          0.78680     0.05550     1.66949    51.3    
31         16.60660        可変                                   
32          2.07090     0.01110     1.90193    24.6               
33          0.69120     0.08950                                   
34        -24.33810     0.06940     1.62520    32.7               
35         -0.64770     0.00010     1.56732    42.8               
36         -0.64770     0.01390     1.61072    50.1               
37          1.02270        可変                                   
38          1.11170     0.05670     1.95375    32.3    
39        -18.78820        (BF)                                   
像面             ∞                                               
【０１６１】
表  １７（各種データ）
ズーム比      2.70029
広角      中間      望遠
焦点距離       0.9998    1.6429    2.6998
Ｆナンバー     4.00550   5.00777   5.52762
画角        17.0465   10.2795    6.2241
像高         0.3000    0.3000    0.3000
レンズ全長      3.0336    3.0326    3.0309
ＢＦ        0.63092   0.63113   0.63135
d5           0.0409    0.3381    0.6239
d11          0.5969    0.2997    0.0139
d20          0.2428    0.1311    0.0138
d29          0.0569    0.0685    0.2228
d31          0.1802    0.1686    0.0143
d37          0.0138    0.1243    0.2397
入射瞳位置      1.0719    1.7638    2.5155
射出瞳位置     -1.1279   -1.3879   -2.0066
前側主点位置    1.5034    2.0699    2.4521
後側主点位置    2.0338    1.3897    0.3311
【０１６２】
表  １８（単レンズデータ）
レンズ     始面     焦点距離
1         1        3.1206
2         3       -4.0418
3         4        2.0191
4         6       -0.5188
5         8        0.8615
6        10       -1.5240
7        12        0.7038
8        14       -1.3198
9        17       -0.7579
10        19        0.9529
11        21       -0.6346
12        23        0.6285
13        25        0.8477
14        27        0.6474
15        28       -0.4247
16        30        1.2319
17        32       -1.1547
18        34        1.0631
19        36       -0.6473
20        38        1.1020
【０１６３】
表  １９（ズームレンズ群データ）
群   始面    焦点距離  レンズ構成長    前側主点位置  後側主点位置
1      1     1.78602     0.30440         0.00292       0.10509
2      6    -0.65832     0.15310         0.07284       0.11596
3     12     1.76357     0.28200        -0.03582       0.00490
4     21     2.17618     0.23550        -0.02427       0.06565
5     30     1.23195     0.05550        -0.00165       0.02065
6     32    -0.65020     0.18400         0.06196       0.10554
7     38     1.10203     0.05670         0.00162       0.02926
【０１６４】
表  ２０（ズームレンズ群倍率）
群   始面    広角       中間       望遠
1      1    0.00000    0.00000    0.00000
2      6   -0.80810   -1.27223   -2.84181
3     12  -70.66296  -52.95295   -2.25868
4     21    0.01699    0.02245    0.28423
5     30    0.39159    0.39453    0.51361
6     32    3.65944    3.83138    4.01092
7     38    0.40259    0.40240    0.40221
【０１６５】
（数値実施例５）
数値実施例５のズームレンズ系は、図１３に示した実施の形態５に対応する。数値実施例５のズームレンズ系の面データを表２１に、各種データを表２２に、単レンズデータを表２３に、ズームレンズ群データを表２４に、ズームレンズ群倍率を表２５に示す。
【０１６６】
表  ２１（面データ）
面番号         r           d           nd         vd     
物面             ∞                                               
1          1.60410     0.03350     1.92286    20.9    
2          1.13700     0.00010     1.51400    42.8               
3          1.13700     0.11710     1.49700    81.6               
4        -22.50320     0.00280                                   
5          1.01910     0.10000     1.49700    81.6               
6          5.55470        可変                        
7          6.97570     0.03240     1.92286    20.9    
8         -2.73300     0.00010     1.51400    42.8               
9         -2.73300     0.02230     1.70154    41.1               
10          0.52810     0.09940                                   
11         -4.22290     0.02230     1.53172    48.8               
12          0.59480     0.00010     1.51400    42.8               
13          0.59480     0.06150     1.92286    20.9               
14          2.34280     0.10190                                   
15         -0.86880     0.02230     1.70154    41.1               
16         -2.99080        可変                        
17          1.06820     0.08280     1.71300    53.9               
18         -1.26650        可変                        
19         -0.68090     0.01810     1.74400    44.8               
20         -1.31120        可変                                   
21(絞り)           ∞     0.02090                        
22          1.08670     0.07280     1.59349    67.0               
23         -0.93820     0.00140                                   
24          0.60410     0.09380     1.49700    81.6               
25         -0.72040     0.00010     1.51400    42.8               
26         -0.72040     0.01670     1.92286    20.9               
27          4.12450        可変                                   
28          3.64130     0.01810     1.63854    55.4               
29          0.61440        可変                        
30         -2.28630     0.07670     1.84666    23.8    
31         -0.26940     0.00010     1.56732    42.8               
32         -0.26940     0.01530     1.80610    33.3               
33          0.88250     0.03110                                   
34         -2.33420     0.01390     1.80610    33.3               
35          1.47710     0.05980                                   
36        -73.63660     0.04530     1.80420    46.5               
37         -0.81040        可変                                   
38          1.21240     0.08790     1.78472    25.7    
39         -1.29380        可変                                   
40         -0.98760     0.02230     1.80610    33.3               
41          0.85260     0.00560                                   
42          0.56750     0.13730     1.51680    64.2               
43         -2.29860        (BF)                                   
像面             ∞                                               
【０１６７】
表  ２２（各種データ）
ズーム比      2.71543
広角      中間      望遠
焦点距離       1.0002    1.6482    2.7160
Ｆナンバー     2.91935   2.91743   2.91243
画角        17.0206   10.2543    6.1804
像高         0.3000    0.3000    0.3000
レンズ全長      3.0482    3.0483    3.0485
ＢＦ        0.26935   0.26950   0.26945
d6           0.0209    0.2954    0.5341
d16          0.5832    0.2821    0.0209
d18          0.1008    0.1264    0.1265
d20          0.0989    0.0999    0.1224
d27          0.0294    0.0611    0.0147
d29          0.1651    0.1334    0.1799
d37          0.0684    0.1247    0.2244
d39          0.2764    0.2200    0.1204
入射瞳位置      1.1041    1.9600    3.2062
射出瞳位置     -1.1083   -1.2167   -1.5255
前側主点位置    1.3781    1.7803    1.8124
後側主点位置    2.0480    1.4001    0.3325
【０１６８】
表  ２３（単レンズデータ）
レンズ     始面     焦点距離
1         1       -4.3819
2         3        2.1813
3         5        2.4930
4         7        2.1312
5         9       -0.6291
6        11       -0.9790
7        13        0.8495
8        15       -1.7530
9        17        0.8249
10        19       -1.9274
11        22        0.8599
12        24        0.6770
13        26       -0.6634
14        28       -1.1602
15        30        0.3545
16        32       -0.2545
17        34       -1.1204
18        36        1.0186
19        38        0.8101
20        40       -0.5646
21        42        0.8953
【０１６９】
表  ２４（ズームレンズ群データ）
群   始面    焦点距離  レンズ構成長    前側主点位置  後側主点位置
1      1     1.61863     0.25350         0.04746       0.13457
2      7    -0.60211     0.36230         0.11260       0.20397
3     17     0.82489     0.08280         0.02245       0.05619
4     19    -1.92745     0.01810        -0.01135      -0.00376
5     21     0.78508     0.20570         0.00494       0.07817
6     28    -1.16020     0.01810         0.01332       0.02035
7     30    -1.14787     0.24220        -0.07461      -0.03596
8     38     0.81009     0.08790         0.02420       0.06208
9     40    -1.67822     0.16520        -0.04873       0.00368
【０１７０】
表  ２５（ズームレンズ群倍率）
群   始面    広角       中間       望遠
1      1    0.00000    0.00000    0.00000
2      7   -0.78800   -1.22982   -2.39987
3     17   -0.81217   -0.84123   -0.57933
4     19    3.51295    3.50254    2.51480
5     21    0.14266    0.14321    0.22080
6     28    1.76489    1.68265    1.64796
7     30    3.29195    2.78334    2.29964
8     38    0.26386    0.33336    0.45635
9     40    1.25674    1.25683    1.25680
【０１７１】
（数値実施例６）
数値実施例６のズームレンズ系は、図１６に示した実施の形態６に対応する。数値実施例６のズームレンズ系の面データを表２６に、各種データを表２７に、単レンズデータを表２８に、ズームレンズ群データを表２９に、ズームレンズ群倍率を表３０に示す。
【０１７２】
表  ２６（面データ）
面番号         r           d           nd         vd     
物面             ∞                                               
1          2.32170     0.09710     1.59349    67.0    
2         -9.20480     0.02050                                   
3          0.97930     0.02770     1.90366    31.3               
4          0.76620     0.00010     1.56732    42.8               
5          0.76620     0.16640     1.43700    95.1               
6          4.79020        可変                                   
7          5.56420     0.01110     1.80610    40.7               
8          1.42340     0.02610                                   
9          2.60230     0.01180     1.90366    31.3               
10          0.45590     0.00010     1.56732    42.8               
11          0.45590     0.07570     1.94595    18.0               
12          0.99970     0.15470                                   
13         -0.97480     0.01660     1.62041    60.3               
14        -15.50240        可変                        
15          1.55190     0.05040     2.00100    29.1               
16         -2.03660     0.00280                                   
17          0.61080     0.03340     1.90366    31.3               
18          0.90650     0.05180                                   
19        290.09000     0.01110     1.94595    18.0               
20          1.00180     0.03780                                   
21(絞り)           ∞     0.05700                        
22         -0.55200     0.01860     1.80518    25.5               
23         -1.39030     0.00010     1.56732    42.8               
24         -1.39030     0.07820     1.80610    33.3               
25         -0.66510        可変                                   
26         10.66260     0.01390     2.00069    25.5               
27          0.63010     0.00010     1.56732    42.8               
28          0.63010     0.08160     1.59349    67.0               
29         -0.95520     0.00280                                   
30          1.46280     0.04130     2.00100    29.1               
31         -2.15820     0.02550                        
32         -1.54350     0.05480     1.94595    18.0               
33         -0.45360     0.01110     1.84400    24.8               
34          1.54380        可変                                   
35          0.70320     0.05550     1.65020    55.7    
36          4.88560        可変                                   
37          1.80000     0.01110     1.95375    32.3               
38          0.67990     0.04110                                   
39        -22.42540     0.05200     1.64000    60.2               
40         -0.74810     0.06600                                   
41         -0.70750     0.01110     1.60000    42.5               
42          1.54170        可変                                   
43          1.21950     0.05410     1.94595    18.0    
44      -4077.01000        (BF)                                   
像面             ∞                                               
【０１７３】
表  ２７（各種データ）
ズーム比      2.69995
広角      中間      望遠
焦点距離       0.9999    1.6429    2.6997
Ｆナンバー     2.90603   3.51911   4.15887
画角        17.0123   10.2236    6.1983
像高         0.3000    0.3000    0.3000
レンズ全長      3.1785    3.1778    3.1775
ＢＦ        0.60326   0.60323   0.60311
d6           0.0409    0.3278    0.5911
d14          0.5736    0.2867    0.0235
d25          0.2382    0.1374    0.0138
d34          0.0782    0.0834    0.2282
d36          0.1594    0.1542    0.0094
d42          0.0138    0.1140    0.2373
入射瞳位置      1.2342    2.0389    3.0171
射出瞳位置     -1.0667   -1.2214   -1.6467
前側主点位置    1.6354    2.2025    2.4773
後側主点位置    2.1785    1.5349    0.4778
【０１７４】
表  ２８（単レンズデータ）
レンズ     始面     焦点距離
1         1        3.1338
2         3       -4.1527
3         5        2.0612
4         7       -2.3756
5         9       -0.6133
6        11        0.8298
7        13       -1.6774
8        15        0.8861
9        17        1.9667
10        19       -1.0627
11        22       -1.1483
12        24        1.5092
13        26       -0.6697
14        28        0.6522
15        30        0.8760
16        32        0.6629
17        33       -0.4143
18        35        1.2568
19        37       -1.1512
20        39        1.2081
21        41       -0.8068
22        43        1.2888
【０１７５】
表  ２９（ズームレンズ群データ）
群   始面    焦点距離  レンズ構成長    前側主点位置  後側主点位置
1      1     1.79907     0.31180         0.00412       0.10730
2      7    -0.61764     0.29610         0.12646       0.19050
3     15     1.46099     0.34120        -0.06833       0.00958
4     26     2.83919     0.23110         0.00853       0.10393
5     35     1.25678     0.05550        -0.00563       0.01642
6     37    -0.76636     0.18130         0.09141       0.13018
7     43     1.28881     0.05410         0.00001       0.02631
【０１７６】
表  ３０（ズームレンズ群倍率）
群   始面    広角       中間       望遠
1      1    0.00000    0.00000    0.00000
2      7   -0.76292   -1.18169   -2.38127
3     15   -6.12004   -6.94152   -2.12298
4     26    0.22421    0.20332    0.40284
5     35    0.38556    0.37926    0.48292
6     37    2.69818    2.82876    2.98905
7     43    0.51036    0.51038    0.51048
【０１７７】
（数値実施例７）
数値実施例７のズームレンズ系は、図１９に示した実施の形態７に対応する。数値実施例７のズームレンズ系の面データを表３１に、各種データを表３２に、単レンズデータを表３３に、ズームレンズ群データを表３４に、ズームレンズ群倍率を表３５に示す。
【０１７８】
表  ３１（面データ）
面番号         r           d           nd         vd     
物面             ∞                                               
1          3.87160     0.02770     1.95375    32.3               
2          3.28500     0.00010     1.56732    42.8               
3          3.28500     0.11090     1.49700    81.6    
4         -4.72170     0.00690                                   
5          0.99170     0.02770     1.90366    31.3               
6          0.76690     0.00010     1.56732    42.8               
7          0.76690     0.15900     1.49700    81.6               
8         11.01440        可変                                   
9          8.73340     0.01790     1.90366    31.3               
10          0.39550     0.00010     1.56732    42.8               
11          0.39550     0.08310     1.94595    18.0               
12          0.85530     0.07360                                   
13         -0.99390     0.01660     1.62041    60.3               
14         19.52530        可変                        
15          1.43860     0.03860     2.00100    29.1    
16         -2.66120     0.00420                                   
17          0.56020     0.03380     1.90366    31.3               
18          0.91930     0.04880                                   
19          6.74450     0.01110     1.94595    18.0               
20          0.71960     0.17570                                   
21(絞り)           ∞     0.06480                        
22         -0.76950     0.03940     1.80518    25.5               
23         -1.03050        可変                                   
24          2.78940     0.01390     2.00069    25.5               
25          0.59520     0.00010     1.56732    42.8               
26          0.59520     0.05370     1.59349    67.0               
27         -1.06140     0.00280                                   
28          1.16430     0.03400     2.00100    29.1               
29         -2.77460     0.02650                        
30         -1.66350     0.04310     1.94595    18.0               
31         -0.45640     0.00010     1.56732    42.8               
32         -0.45640     0.01110     1.84400    24.8               
33          1.35130        可変                                   
34          0.68970     0.05550     1.65020    55.7    
35         15.35910        可変                                   
36          1.58280     0.01110     1.95375    32.3               
37          0.58680     0.04290                                   
38         17.87970     0.03650     1.64000    60.2               
39         -1.01120     0.07140                                   
40         -1.39760     0.01120     1.60000    42.5               
41          0.84930        可変                                   
42          0.91290     0.04350     1.94595    18.0    
43          3.16790        (BF)                                   
像面             ∞                                               
【０１７９】
表  ３２（各種データ）
ズーム比      3.19784
広角      中間      望遠
焦点距離       0.9999    1.7886    3.1977
Ｆナンバー     4.16082   4.18075   4.15496
画角        17.0443    9.3827    5.2257
像高         0.3000    0.3000    0.3000
レンズ全長      3.1897    3.1891    3.1895
ＢＦ        0.60369   0.60375   0.60412
d8           0.0161    0.3591    0.6595
d14          0.6502    0.3073    0.0069
d23          0.2300    0.1325    0.0155
d33          0.0934    0.0858    0.2437
d35          0.1612    0.1688    0.0108
d41          0.0376    0.1344    0.2515
入射瞳位置      1.1296    2.1122    3.4961
射出瞳位置     -0.9235   -1.0443   -1.4031
前側主点位置    1.4749    1.9597    1.5997
後側主点位置    2.1897    1.4005   -0.0081
【０１８０】
表  ３３（単レンズデータ）
レンズ     始面     焦点距離
1         1      -23.2690
2         3        3.9159
3         5       -3.9764
4         7        1.6500
5         9       -0.4589
6        11        0.7149
7        13       -1.5239
8        15        0.9373
9        17        1.5191
10        19       -0.8523
11        22       -4.0457
12        24       -0.7585
13        26        0.6504
14        28        0.8229
15        30        0.6536
16        32       -0.4031
17        34        1.1090
18        36       -0.9831
19        38        1.4966
20        40       -0.8788
21        42        1.3432
【０１８１】
表  ３４（ズームレンズ群データ）
群   始面    焦点距離  レンズ構成長    前側主点位置  後側主点位置
1      1     1.80021     0.33240         0.04886       0.16586
2      9    -0.63396     0.19130         0.09012       0.14628
3     15     1.75062     0.41640        -0.30938      -0.18053
4     24     1.80359     0.18530        -0.03014       0.04610
5     34     1.10897     0.05550        -0.00158       0.02034
6     36    -0.64817     0.17310         0.08198       0.11514
7     42     1.34316     0.04350        -0.00897       0.01239
【０１８２】
表  ３５（ズームレンズ群倍率）
群   始面    広角       中間       望遠
1      1    0.00000    0.00000    0.00000
2      9   -0.70953   -1.15162   -2.53490
3     15    6.22981    5.09434   -7.51658
4     24   -0.22134   -0.29746    0.11181
5     34    0.35997    0.34380    0.47604
6     36    2.99062    3.14031    3.32305
7     42    0.52739    0.52734    0.52706
【０１８３】
以下の表３６に、各数値実施例のズームレンズ系における各条件の対応値を示す。
【０１８４】
表  ３６（条件の対応値）
【表１】
2014186306.tif 000003
【０１８５】
以上のように、本開示における技術の例示として、実施の形態を説明した。そのために、添付図面および詳細な説明を提供した。
【０１８６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１８７】
また、上述の実施の形態は、本開示における技術を例示するためのものであるから、特許請求の範囲またはその均等の範囲において種々の変更、置き換え、付加、省略などを行うことができる。
【産業上の利用可能性】
【０１８８】
本開示は、デジタルスチルカメラ、デジタルビデオカメラ、スマートフォン等の携帯情報端末のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能である。特に本開示は、デジタルスチルカメラシステム、デジタルビデオカメラシステムといった高画質が要求される撮影光学系に適用可能である。
【０１８９】
また本開示は、本開示における交換レンズ装置の中でも、デジタルビデオカメラシステムに備えられる、ズームレンズ系をモータにより駆動する電動ズーム機能を搭載した交換レンズ装置に適用可能である。
【符号の説明】
【０１９０】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｇ７    第７レンズ群
Ｇ８    第８レンズ群
Ｇ９    第９レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  第１５レンズ素子
Ｌ１６  第１６レンズ素子
Ｌ１７  第１７レンズ素子
Ｌ１８  第１８レンズ素子
Ｌ１９  第１９レンズ素子
Ｌ２０  第２０レンズ素子
Ｌ２１  第２１レンズ素子
Ｌ２２  第２２レンズ素子
Ｌ２３  第２３レンズ素子
Ａ      開口絞り
Ｓ      像面
１００  レンズ交換式デジタルカメラシステム
１０１  カメラ本体
１０２  撮像素子
１０３  液晶モニタ
１０４  カメラマウント部
２０１  交換レンズ装置
２０２  ズームレンズ系
２０３  鏡筒
２０４  レンズマウント部
【図１】
2014186306.tif 000004
【図２】
2014186306.tif 000005
【図３】
2014186306.tif 000006
【図４】
2014186306.tif 000007
【図５】
2014186306.tif 000008
【図６】
2014186306.tif 000009
【図７】
2014186306.tif 000010
【図８】
2014186306.tif 000011
【図９】
2014186306.tif 000012
【図１０】
2014186306.tif 000013
【図１１】
2014186306.tif 000014
【図１２】
2014186306.tif 000015
【図１３】
2014186306.tif 000016
【図１４】
2014186306.tif 000017
【図１５】
2014186306.tif 000018
【図１６】
2014186306.tif 000019
【図１７】
2014186306.tif 000020
【図１８】
2014186306.tif 000021
【図１９】
2014186306.tif 000022
【図２０】
2014186306.tif 000023
【図２１】
2014186306.tif 000024
【図２２】
2014186306.tif 000025